(57)【要約】      （修正有）【課題】ワイヤレスワイドエリアネットワーク（ＷＷＡＮ）およびワイヤレスローカルエリアネットワーク（ＷＬＡＮ）からのデータをアグリゲートするための技法を提供する。【解決手段】パケットコンバージェンスエンティティは、ＷＷＡＮおよびＷＬＡＮのどちらからデータパケットが受信されたかを決定し、受信されたデータパケットの各々のシーケンス番号値をモニタし、データパケットが順序外れで受信されたとの決定に基づいてデータパケットが（たとえば、正しい順序でまたは順序外れで）受信されたときに上位層エンティティにデータパケットを配信し、相手局とパケットステータス情報の交換および／または欠落しているデータパケットの再送信の要求をする。【選択図】図３
2018110418.tif 000002
【特許請求の範囲】
【請求項１】
ワイヤレス通信においてデータをアグリゲートするための方法であって、
パケットコンバージェンスエンティティによって第１の無線アクセス技術（ＲＡＴ）リンクおよび第２のＲＡＴリンクとデータパケットを通信することと、
前記データパケットの各々が前記第１のＲＡＴリンクおよび前記第２のＲＡＴリンクから受信されたかどうかを決定することと、
前記第１のＲＡＴリンクおよび前記第２のＲＡＴリンク上で受信された前記データパケットの各々のシーケンス番号値をモニタすることと、
前記第１のＲＡＴリンクおよび前記第２のＲＡＴリンク上で受信された前記データパケットの前記シーケンス番号値が順序外れであるかどうかを決定することと、
前記受信されたデータパケットの前記シーケンス番号値が順序外れであるとの決定に少なくとも部分的に基づいて１つまたは複数のアクションを実行することと、
前記第１のＲＡＴリンクおよび前記第２のＲＡＴリンクの一方または両方における１つまたは複数のイベントに応答してパケットステータス情報を交換することと
を備える、方法。
【請求項２】
前記第１のＲＡＴリンクが、ワイヤレスワイドエリアネットワーク（ＷＷＡＮ）リンクを備え、
前記第２のＲＡＴリンクが、ワイヤレスローカルエリアネットワーク（ＷＬＡＮ）リンクを備え、
前記パケットコンバージェンスエンティティが、パケットデータコンバージェンスプロトコル（ＰＤＣＰ）エンティティを備える、請求項１に記載の方法。
【請求項３】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、請求項２に記載の方法。
【請求項４】
前記１つまたは複数のアクションは、パケット再順序付けタイマーが現在作動中でないとき、および現在の受信されたパケットの前記シーケンス番号（ＳＮ）値が予期されるＳＮ値以下であるときに、前記パケットコンバージェンスエンティティによって上位層エンティティに前記データパケットのうちの現在の１つを送ることを備え、ここにおいて、前記予期されるＳＮ値が、前記上位層エンティティに配信されるデータパケットの最大のＳＮ値より１大きい、請求項１に記載の方法。
【請求項５】
前記１つまたは複数のアクションは、予期されるＳＮ値より大きいＳＮ値を有するデータパケットが前記パケットコンバージェンスエンティティによって受信されたときに、パケット再順序付けタイマーが作動中でない場合、前記パケット再順序付けタイマーを起動することを備え、ここにおいて、前記予期されるＳＮ値が、上位層エンティティに配信されるデータパケットの最大のＳＮ値より１大きい、請求項１に記載の方法。
【請求項６】
前記１つまたは複数のアクションは、所定の時間に到達したときに、前記パケット再順序付けタイマーを停止することを備える、請求項５に記載の方法。
【請求項７】
前記１つまたは複数のアクションは、前記第１のＲＡＴリンクおよび前記第２のＲＡＴリンクの両方がＳＮ値の昇順でデータパケットを配信するように構成されているとき、および各リンク上で受信された前記ＳＮのうちの最小値が、受信されたときにパケット再順序付けタイマーを起動したデータパケットのＳＮ値以上であるときに、前記パケット再順序付けタイマーを停止することを備える、請求項１に記載の方法。
【請求項８】
前記１つまたは複数のアクションは、前記パケットコンバージェンスエンティティによって受信された前記データパケットの少なくとも一部を上位層エンティティに送ることを備え、前記データパケットの前記少なくとも一部が、受信されたときに現在は停止されているパケット再順序付けタイマーを起動したデータパケットのＳＮ値より小さいＳＮ値を有するデータパケットを備える、請求項１に記載の方法。
【請求項９】
前記１つまたは複数のアクションは、前記パケットコンバージェンスエンティティによって受信された前記データパケットの少なくとも一部を上位層エンティティに送ることを備え、前記データパケットの前記少なくとも一部が、上限以下の、および受信されたときに現在は停止されているパケット再順序付けタイマーを起動したデータパケットのＳＮ値以上の、ＳＮ値を有するデータパケットを備える、請求項１に記載の方法。
【請求項１０】
前記上限が、
受信されたときに現在は停止されている前記パケット再順序付けタイマーを起動した前記データパケットの後でＳＮ値順に受信された前記データパケットの最大のＳＮ値、
受信されたときに現在は停止されている前記パケット再順序付けタイマーを起動した前記データパケットの後で受信された前記データパケットの最大のＳＮ値、および
受信されたときに現在は停止されている前記パケット再順序付けタイマーを起動した前記データパケットの後で前記第１のＲＡＴリンク上で受信された前記データパケットの最大のＳＮ値および前記第２のＲＡＴリンク上で受信された前記データパケットの最大のＳＮ値のうちの最小値
のうちの１つである、請求項９に記載の方法。
【請求項１１】
前記パケットコンバージェンスエンティティによって受信されたデータパケットが前記第１のＲＡＴリンクおよび前記第２のＲＡＴリンクのどちらからのものであるかを、前記パケットコンバージェンスエンティティが識別するのを可能にするために、前記第１のＲＡＴリンクおよび前記第２のＲＡＴリンクの各々からインジケーションを受信することをさらに備える、請求項１に記載の方法。
【請求項１２】
欠落しているものと決定された１つまたは複数のデータパケットの再送信を要求するために前記パケットコンバージェンスエンティティからパケットコンバージェンスエンティティステータス報告を送ることをさらに備える、請求項１に記載の方法。
【請求項１３】
前記パケットコンバージェンスエンティティからパケットコンバージェンスエンティティステータス報告を周期的に送ることをさらに備える、請求項１に記載の方法。
【請求項１４】
前記データパケットの送信機からステータス要求を受信することと、
前記ステータス要求に応答して、前記受信されたデータパケットに関する、および欠落しているものと決定されたデータパケットに関するパケットコンバージェンスエンティティステータス報告を送ることとをさらに備える、請求項１に記載の方法。
【請求項１５】
ワイヤレス通信においてデータをアグリゲートするための装置であって、
パケットコンバージェンスエンティティによって第１の無線アクセス技術（ＲＡＴ）リンクおよび第２のＲＡＴリンクとデータパケットを通信するための手段と、
前記データパケットの各々が前記第１のＲＡＴリンクおよび前記第２のＲＡＴリンクから受信されたかどうかを決定するための手段と、
前記第１のＲＡＴリンクおよび前記第２のＲＡＴリンク上で受信された前記データパケットの各々のシーケンス番号値をモニタするための手段と、
前記第１のＲＡＴリンクおよび前記第２のＲＡＴリンク上で受信された前記データパケットの前記シーケンス番号値が順序外れであるかどうかを決定するための手段と、
前記受信されたデータパケットの前記シーケンス番号値が順序外れであるとの決定に少なくとも部分的に基づいて１つまたは複数のアクションを実行するための手段と、
前記第１のＲＡＴリンクおよび前記第２のＲＡＴリンクの一方または両方における１つまたは複数のイベントに応答してパケットステータス情報を交換するための手段と
を備える、装置。
【請求項１６】
ワイヤレス通信においてデータをアグリゲートするためのネットワークデバイスであって、
パケットコンバージェンスエンティティによって第１の無線アクセス技術（ＲＡＴ）リンクおよび第２のＲＡＴリンクとデータパケットを通信するように構成された受信機構成要素と、
前記データパケットの各々が前記第１のＲＡＴリンクおよび前記第２のＲＡＴリンクから受信されたかどうかを決定するように構成された識別器構成要素と、
前記第１のＲＡＴリンクおよび前記第２のＲＡＴリンク上で受信された前記データパケットの各々のシーケンス番号値をモニタするように構成されたモニタリング構成要素と、ここにおいて、前記モニタリング構成要素が、前記第１のＲＡＴリンクおよび前記第２のＲＡＴリンク上で受信された前記データパケットの前記シーケンス番号値が順序外れであるかどうかを決定するようにさらに構成される、
前記受信されたデータパケットの前記シーケンス番号値が順序外れであるとの決定に少なくとも部分的に基づいて１つまたは複数のアクションを実行するように構成された再順序付け構成要素と、
第１のＲＡＴリンクおよび前記第２のＲＡＴリンクの一方または両方における１つまたは複数のイベントに応答してパケットステータス情報を交換するように構成されたステータス構成要素と
を備える、ネットワークデバイス。
【請求項１７】
前記第１のＲＡＴリンクが、ワイヤレスワイドエリアネットワーク（ＷＷＡＮ）リンクを備え、
前記第２のＲＡＴリンクが、ワイヤレスローカルエリアネットワーク（ＷＬＡＮ）リンクを備え、
前記パケットコンバージェンスエンティティが、パケットデータコンバージェンスプロトコル（ＰＤＣＰ）エンティティを備える、請求項１６に記載のネットワークデバイス。
【請求項１８】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、請求項１７に記載のネットワークデバイス。
【請求項１９】
パケット再順序付けタイマーをさらに備え、前記１つまたは複数のアクションは、前記パケット再順序付けタイマーが現在作動中でないとき、および現在の受信されたパケットの前記シーケンス番号（ＳＮ）値が予期されるＳＮ値以下であるときに、前記パケットコンバージェンスエンティティによって上位層エンティティに前記データパケットのうちの現在の１つを送ることを備え、ここにおいて、前記予期されるＳＮ値が、前記上位層エンティティに配信されるデータパケットの最大のＳＮ値より１大きい、請求項１６に記載のネットワークデバイス。
【請求項２０】
パケット再順序付けタイマーをさらに備え、前記１つまたは複数のアクションは、予期されるＳＮ値より大きいＳＮ値を有するデータパケットが前記パケットコンバージェンスエンティティによって受信されたときに、前記パケット再順序付けタイマーが作動中でない場合、前記パケット再順序付けタイマーを起動することを備え、ここにおいて、前記予期されるＳＮ値が、上位層エンティティに配信されるデータパケットの最大のＳＮ値より１大きい、請求項１６に記載のネットワークデバイス。
【請求項２１】
前記１つまたは複数のアクションは、所定の時間に到達したときに、前記パケット再順序付けタイマーを停止することを備える、請求項２０に記載のネットワークデバイス。
【請求項２２】
パケット再順序付けタイマーをさらに備え、前記１つまたは複数のアクションは、前記第１のＲＡＴリンクおよび前記第２のＲＡＴリンクの両方がＳＮ値の昇順でデータパケットを配信するように構成されているとき、および各リンク上で受信された前記ＳＮのうちの最小値が、受信されたときに前記パケット再順序付けタイマーを起動したデータパケットのＳＮ値以上であるときに、前記パケット再順序付けタイマーを停止することを備える、請求項１６に記載のネットワークデバイス。
【請求項２３】
パケット再順序付けタイマーをさらに備え、前記１つまたは複数のアクションは、前記パケットコンバージェンスエンティティによって受信された前記データパケットの少なくとも一部を上位層エンティティに送ることを備え、前記データパケットの前記少なくとも一部が、受信されたときに現在は停止されている前記パケット再順序付けタイマーを起動したデータパケットのＳＮ値より小さいＳＮ値を有するデータパケットを備える、請求項１６に記載のネットワークデバイス。
【請求項２４】
パケット再順序付けタイマーをさらに備え、前記１つまたは複数のアクションは、前記パケットコンバージェンスエンティティによって受信された前記データパケットの少なくとも一部を上位層エンティティに送ることを備え、前記データパケットの前記少なくとも一部が、上限以下の、および受信されたときに現在は停止されている前記パケット再順序付けタイマーを起動したデータパケットのＳＮ値以上の、ＳＮ値を有するデータパケットを備える、請求項１６に記載のネットワークデバイス。
【請求項２５】
前記上限が、
受信されたときに現在は停止されている前記パケット再順序付けタイマーを起動した前記データパケットの後でＳＮ値順に受信された前記データパケットの最大のＳＮ値、
受信されたときに現在は停止されている前記パケット再順序付けタイマーを起動した前記データパケットの後で受信された前記データパケットの最大のＳＮ値、および
受信されたときに現在は停止されている前記パケット再順序付けタイマーを起動した前記データパケットの後で前記第１のＲＡＴリンク上で受信された前記データパケットの最大のＳＮ値および前記第２のＲＡＴリンク上で受信された前記データパケットの最大のＳＮ値のうちの最小値
のうちの１つである、請求項２４に記載のネットワークデバイス。
【請求項２６】
ワイヤレス通信においてデータをアグリゲートするための方法であって、
第１の無線アクセス技術（ＲＡＴ）リンクおよび第２のＲＡＴリンクを介してワイヤレス通信デバイスにデータパケットを送信することと、ここにおいて、前記データパケットの各々が、前記ワイヤレス通信デバイス内のパケットコンバージェンスエンティティにおけるパケットアグリゲーションに関して割り当てられたシーケンス番号（ＳＮ）値を有する、
前記第１および第２のＲＡＴリンク上で、前記第１および第２のＲＡＴリンクの各々に対してバッファのアンダーフローおよびオーバーフローの一方または両方を防止するように構成されたフロー制御を実行することと
を備える、方法。
【請求項２７】
前記第１のＲＡＴリンクが、ワイヤレスワイドエリアネットワーク（ＷＷＡＮ）リンクを備え、
前記第２のＲＡＴリンクが、ワイヤレスローカルエリアネットワーク（ＷＬＡＮ）リンクを備え、
前記パケットコンバージェンスエンティティが、パケットデータコンバージェンスプロトコル（ＰＤＣＰ）エンティティを備える、請求項２６に記載の方法。
【請求項２８】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、請求項２７に記載の方法。
【請求項２９】
ＳＮ値の第１の正しい順序のシーケンスを前記第１のＲＡＴリンクを介して送信された前記データパケットに割り当てることと、ＳＮ値の第２の正しい順序のシーケンスを前記第２のＲＡＴリンクを介して送信された前記データパケットに割り当てることとをさらに備える、請求項２６に記載の方法。
【請求項３０】
データパケットが前記第１および第２のＲＡＴリンクのいずれかから欠落し、順次配信を提供しているものと前記パケットコンバージェンスエンティティが決定するとき、または前記第１および第２のＲＡＴリンクのいずれかにおける送信性能がしきい値より低いものと前記パケットコンバージェンスエンティティが決定するときに、前記パケットコンバージェンスエンティティからステータス報告要求を受信することと、
前記ステータス報告要求に応答して前記ワイヤレス通信デバイスにステータス報告を送信することと
をさらに備える、請求項２６に記載の方法。
【発明の詳細な説明】
【優先権の主張】
【０００１】
[0001]本特許出願は、本譲受人に譲渡され、参照により本明細書に明確に組み込まれている、２０１４年８月８日に出願された「Ｔｅｃｈｎｉｑｕｅｓ  ｆｏｒ  Ａｇｇｒｅｇａｔｉｎｇ  Ｄａｔａ  ｆｒｏｍ  ＷＷＡＮ  ａｎｄ  ＷＬＡＮ」と題する米国非仮出願第１４／４５５，３２６号、および２０１３年１０月３０日に出願された「Ｔｅｃｈｎｉｑｕｅｓ  ｆｏｒ  Ａｇｇｒｅｇａｔｉｎｇ  Ｄａｔａ  ｆｒｏｍ  ＷＷＡＮ  ａｎｄ  ＷＬＡＮ」と題する米国仮出願第６１／８９７，６６５号の優先権を主張する。
【技術分野】
【０００２】
[0002]本開示の態様は、一般にワイヤレス通信に関し、より詳細には、ワイヤレスワイドエリアネットワーク（ＷＷＡＮ）およびワイヤレスローカルエリアネットワーク（ＷＬＡＮ）からのデータをアグリゲートする（aggregating）ための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることのできる多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、複数のユーザ機器（ＵＥ）のための通信をサポートすることができる複数の基地局（たとえば、ｅノードＢ）を含むことができる。ＵＥは、ダウンリンクとアップリンクとを介して基地局と通信することができる。ダウンリンク（または順方向リンク）は基地局からＵＥへの通信リンクを指し、アップリンク（または逆方向リンク）はＵＥから基地局への通信リンクを指す。
【０００５】
[0005]ＵＥまたはネットワークデバイス（たとえば、基地局、ｅノードＢ）とのワイヤレス通信は、２つの別個の無線アクセス技術（ＲＡＴ）リンク上で行われてよく、第１のＲＡＴリンクはＷＷＡＮ  ＲＡＴ（たとえば、ロングタームエボリューション（ＬＴＥ（登録商標）））に対応し得、第２のＲＡＴリンクはＷＬＡＮ  ＲＡＴ（たとえば、Ｗｉ−Ｆｉ（登録商標））に対応し得る。ＲＡＴへの接続（たとえば、リンク）は、データパケットエラーと、異なるＲＡＴからのデータパケットに関するコンバージェンス（convergence）をもたらす受信デバイスにおけるエンティティへのデータパケットの配信とに関して異なる特性を有する可能性がある。そのようなシナリオでは、２つのＲＡＴリンク上でデータ（たとえば、パケットデータユニット（ＰＤＵ））を送信することおよび受信デバイスにおけるパケットコンバージェンスエンティティにおいてデータをアグリゲートすることは、特にデータパケット配信が順次配信（in-order delivery）であるが信頼性サポートを提供しないとデータを受信するパケットコンバージェンスエンティティが想定するときに、挑戦課題を提起する場合がある。そのために、受信デバイス内のパケットコンバージェンスエンティティにおけるデータパケットハンドリングを改善することは、アグリゲートされるべきデータパケットが順序外れ（out of order）で受信されるときに性能に与える影響を低減し得る。
【０００６】
[0006]上記に鑑みて、現在のデータアグリゲーション技術に関連する重要な問題および短所があり得ることが理解され得る。
【発明の概要】
【０００７】
[0007]本開示の態様は、一般にワイヤレス通信に関し、より詳細には、ＷＷＡＮおよびＷＬＡＮからのデータをアグリゲートするための技法に関する。一例では、本明細書で説明される技法は、パケットデータコンバージェンスプロトコル（ＰＤＣＰ）エンティティにおけるデータのアグリゲーションを含んでよく、データは、ＷＷＡＮおよびＷＬＡＮ上のＰＤＣＰエンティティによって受信される。
【０００８】
[0008]一態様によれば、パケットコンバージェンスエンティティが、第１のＲＡＴリンクおよび第２のＲＡＴリンクとデータパケットを通信することと、データパケットの各々が第１のＲＡＴリンクおよび第２のＲＡＴリンクから受信されかどうかを決定することと、第１のＲＡＴリンクおよび第２のＲＡＴリンク上で受信されたデータパケットの各々のシーケンス番号値をモニタすることと、第１のＲＡＴリンクおよび第２のＲＡＴリンク上で受信されたデータパケットのＳＮ値が順序外れであるかどうかを決定することと、受信されたデータパケットのシーケンス番号値が順序外れであるとの決定に基づいて１つまたは複数のアクションを実行することと、第１のＲＡＴリンクおよび第２のＲＡＴリンクの一方または両方における１つまたは複数のイベントに応答してパケットステータス情報を交換することとを行うワイヤレス通信においてデータをアグリゲートするための方法が説明される。
【０００９】
[0009]別の態様によれば、パケットコンバージェンスエンティティによって第１のＲＡＴリンクおよび第２のＲＡＴリンクとデータパケットを通信するための手段と、データパケットの各々が第１のＲＡＴリンクおよび第２のＲＡＴリンクから受信されたかどうかを決定するための手段と、第１のＲＡＴリンクおよび第２のＲＡＴリンク上で受信されたデータパケットの各々のシーケンス番号値をモニタするための手段と、第１のＲＡＴリンクおよび第２のＲＡＴリンク上で受信されたデータパケットのシーケンス番号値が順序外れであるかどうかを決定するための手段と、受信されたデータパケットのシーケンス番号値が順序外れであるとの決定に少なくとも部分的に基づいて１つまたは複数のアクションを実行するための手段と、第１のＲＡＴリンクおよび第２のＲＡＴリンクの一方または両方における１つまたは複数のイベントに応答してパケットステータス情報を交換するための手段とを含み得るワイヤレス通信においてデータをアグリゲートするための装置が説明される。
【００１０】
さらに別の態様によれば、パケットコンバージェンスエンティティによって第１の無線アクセス技術（ＲＡＴ）リンクおよび第２のＲＡＴリンクとデータパケットを通信するように構成された受信機構成要素と、データパケットの各々が第１のＲＡＴリンクおよび第２のＲＡＴリンクから受信されたかどうかを決定するように構成された識別器構成要素と、第１のＲＡＴリンクおよび第２のＲＡＴリンク上で受信されたデータパケットの各々のシーケンス番号値をモニタするように構成され、さらに第１のＲＡＴリンクおよび第２のＲＡＴリンク上で受信されたデータパケットのシーケンス番号値が順序外れであるかどうかを決定するように構成されたモニタリング構成要素と、受信されたデータパケットのシーケンス番号値が順序外れであるとの決定に少なくとも部分的に基づいて１つまたは複数のアクションを実行するように構成された再順序付け構成要素と、第１のＲＡＴリンクおよび第２のＲＡＴリンクの一方または両方における１つまたは複数のイベントに応答してパケットステータス情報を交換するように構成されたステータス構成要素とを含み得るワイヤレス通信においてデータをアグリゲートするためのデータをアグリゲートするためのネットワークデバイスが説明される。
【００１１】
[0010]データパケットに割り当てられたシーケンス番号値（またはＳＮ値）は、新しいデータパケットの各々のソースにおいて１だけインクリメントされる非負整数であり得る。パケットコンバージェンスエンティティはまた、各ＲＡＴリンクに対して別個の順次シーケンス番号を割り当て得る。第１のＲＡＴリンクがＷＷＡＮリンク（たとえば、セルラーリンク）を備え、第２のＲＡＴリンクがＷＬＡＮリンクを備え、パケットコンバージェンスエンティティがＰＤＣＰエンティティを備える場合がある。ＷＷＡＮリンクがＬＴＥリンクまたはユニバーサルモバイルテレコミュニケーションシステム（ＵＭＴＳ）リンクを備え、ＷＬＡＮリンクがＷｉ−Ｆｉリンクを備える場合がある。
【００１２】
[0011]別の態様によれば、データパケットが第１のＲＡＴリンクおよび第２のＲＡＴリンクを介してワイヤレス通信デバイスに送信され、データパケットの各々がワイヤレス通信デバイス内のパケットコンバージェンスエンティティにおけるパケットアグリゲーションに関して割り当てられたシーケンス番号値を有するワイヤレス通信においてデータをアグリゲートするための方法が説明される。フロー制御は、第１および第２のＲＡＴリンク上で実行されてよく、フロー制御は、第１および第２のＲＡＴリンクの各々に対してバッファのアンダーフローおよびオーバーフローの一方または両方を防止するように構成される。第１のＲＡＴリンクがＷＷＡＮリンクを備え、第２のＲＡＴリンクがＷＬＡＮリンクを備え、パケットコンバージェンスエンティティがＰＤＣＰエンティティを備える場合がある。ＷＷＡＮリンクがＬＴＥリンクまたはＵＭＴＳリンクなどのセルラーリンクを備え、ＷＬＡＮリンクがＷｉ−Ｆｉリンクを備える場合がある。
【００１３】
[0012]本開示の様々な態様および特徴について、添付の図面に示されているそれらの様々な例に関して以下でさらに詳細に説明する。本開示について様々な例に関して以下で説明するが、本開示はそれらに限定されないことを理解されたい。本明細書の教示へのアクセスを有する当業者は、本明細書で説明する本開示の範囲内にあり、本開示がそれらに関して著しく有意な有用であり得る、追加の実装形態、変更形態、および例、ならびに他の使用分野を認識されよう。
【００１４】
[0013]本開示のより完全な理解を可能にするために、次に添付の図面を参照し、そこでは、同様の数字を用いて同様の要素が参照される。これらの図面は、本開示を限定するものとして解釈されるべきではなく、例示的にすぎないものである。
【図面の簡単な説明】
【００１５】
【図１】[0014]本開示の一態様による、ワイヤレス通信システムの一例を概念的に示すブロック図。
【図２】[0015]本開示の一態様に従って構成されたｅノードＢおよびＵＥの例を概念的に示すブロック図。
【図３】[0016]本開示の一態様による、ＵＥにおけるＷＷＡＮおよびＷＬＡＮの無線アクセス技術のアグリゲーションを概念的に示すブロック図。
【図４Ａ】[0017]本開示の一態様による、ＵＥとパケットデータネットワーク（ＰＤＮ）との間のデータ経路の一例を概念的に示すブロック図。
【図４Ｂ】[0018]本開示の一態様による、ＵＥとＰＤＮとの間のデータ経路の別の例を概念的に示すブロック図。
【図４Ｃ】[0019]本開示の一態様による、アグリゲーションがアンカーｅノードＢにおいて終端するＰＤＣＰを使用する一例を概念的に示すブロック図。
【図５】[0020]本開示の一態様による、アグリゲーションがアンカーｅノードＢにおいて終端するＰＤＣＰを使用するＰＤＮゲートウェイ（ＰＧＷ）ユーザプレーンの一例を概念的に示すブロック図。
【図６】[0021]本開示の一態様による、単一のＰＤＣＰを使用するパケットレベルアグリゲーションの一例を概念的に示すブロック図。
【図７】[0022]本開示の一態様による、パケットコンバージェンスエンティティにおいてアグリゲーションをハンドリングするための方法を示すフローチャート。
【図８】[0023]本開示の一態様による、パケットコンバージェンスエンティティにおいてアグリゲーションをハンドリングするための別の方法を示すフローチャート。
【図９】[0024]本開示の一態様に従って構成されたＵＥおよび構成要素の一例を概念的に示すブロック図。
【図１０】[0025]本開示の一態様に従って構成されたｅノードＢおよび構成要素の一例を概念的に示すブロック図。
【図１１】[0026]本開示の一態様に従って構成されたパケットコンバージェンス受信機構成要素および下位構成要素の一例を概念的に示すブロック図。
【図１２】[0027]本開示の一態様に従って構成されたパケットコンバージェンス送信機構成要素および下位構成要素の一例を概念的に示すブロック図。
【図１３】[0028]本開示の一態様に従って構成された処理システムを利用する装置に対する例示的なハードウェア実装形態を概念的に示すブロック図。
【図１４】[0029]本開示の一態様による、受信機内のパケットコンバージェンスエンティティにおけるＷＷＡＮおよびＷＬＡＮのデータのアグリゲーションのための方法を示すフローチャート。
【図１５】[0030]本開示の一態様による、送信機内のパケットコンバージェンスエンティティにおけるＷＷＡＮおよびＷＬＡＮのデータのアグリゲーションのための方法を示すフローチャート。
【発明を実施するための形態】
【００１６】
[0031]添付の図面に関して以下に記載する詳細な説明は、様々な構成を説明するものであり、本明細書で説明する概念が実施され得る唯一の構成を表すものではない。詳細な説明は、様々な概念の完全な理解を提供する目的のための特定の詳細を含む。しかしながら、これらの概念がこれらの特定の詳細なしに実施され得ることは、当業者には明らかであろう。いくつかの事例では、よく知られている構造および構成要素は、そのような概念を不明瞭にすることを避けるために、ブロック図の形態で示されている。
【００１７】
[0032]パケットコンバージェンスエンティティにおけるＷＷＡＮおよびＷＬＡＮのデータのアグリゲーションのための様々な方法、装置、デバイス、およびシステムが説明される。いくつかの態様では、パケットコンバージェンスエンティティ（たとえば、ＰＤＣＰ層）は、第１のＲＡＴリンク（たとえば、ＷＷＡＮリンク）および第２のＲＡＴリンク（たとえば、ＷＬＡＮリンク）からデータパケット（たとえば、ＰＤＵ）を受信する。パケットコンバージェンスエンティティは、各データパケットが第１および第２のＲＡＴリンクのどちらから受信されたかを決定または識別し、それらのそれぞれのＲＡＴリンクに少なくとも部分的に基づいてデータパケットの各々のシーケンス番号値をモニタすることができる。パケットコンバージェンスエンティティは、データパケットのシーケンス番号値が順序外れで受信されたときに１つまたは複数のアクションを実行し得る。１つまたは複数のアクションは、データパケットを再順序付けすること、アグリゲートすること、および／またはバッファリングすることを行うための様々な動作を含み得る。これらの動作はまた、再順序付けタイマーおよび／または再順序付けバッファの使用を含み得る。一例では、パケットコンバージェンスエンティティは、データパケットを受信した通りに（たとえば、正しい順序でまたは順序外れで）、上位層エンティティ（たとえば、インターネットプロトコル（ＩＰ）層）にデータパケットを配信し得るかまたは送り得る。パケットコンバージェンスエンティティはまた、上位層エンティティにデータパケットを送る前に、データパケットを再順序付けし、データパケットロスを無視することができる。さらに、パケットコンバージェンスエンティティは、第１および第２のＲＡＴリンクのいずれかにおいて欠落している（たとえば、失われたかまたは受信されなかった）データパケットの再送信を要求し得る。
【００１８】
[0033]本明細書に記載される技法は、ＣＤＭＡ、ＴＤＭＡ、ＦＤＭＡ、ＯＦＤＭＡ、ＳＣ−ＦＤＭＡ、および他のネットワークなどの、様々なワイヤレス通信ネットワークに使用される場合がある。「ネットワーク」および「システム」という用語は、しばしば互換的に使用される。ＣＤＭＡネットワークは、汎用地上無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））とＣＤＭＡの他の変形態とを含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ（登録商標）  ＬＴＥおよびＬＴＥアドバンスト（ＬＴＥ−Ａ：ＬＴＥ−Ａｄｖａｎｃｅｄ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書で説明されている。本明細書で説明する技法は、上述のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１９】
[0034]図１は、本開示の一態様による、ワイヤレス通信システム１００の一例を概念的に示すブロック図である。ワイヤレス通信システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る、基地局コントローラ（図示されず）の制御下でＵＥ１１５と通信し得る。基地局１０５は、第１のバックホールリンク１３２を通してコアネットワーク１３０と制御情報および／またはユーザデータを通信し得る。いくつかの態様では、基地局１０５は、ワイヤードまたはワイヤレス通信リンクであり得る第２のバックホールリンク１３４を介して、直接的または間接的のいずれかで、互いに通信し得る。ワイヤレス通信システム１００は、複数のキャリア（異なる周波数の波形信号）上での動作をサポートすることができる。マルチキャリア送信機は、複数のキャリア上で同時に被変調信号を送信することができる。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。ワイヤレス通信システム１００はまた、同時に複数のフロー（たとえば、ＷＷＡＮまたはセルラー、およびＷＬＡＮまたはＷｉ−Ｆｉ）上の動作をサポートし得る。
【００２０】
[0035]基地局１０５は、１つまたは複数の基地局アンテナを介して、ＵＥ１１５とワイヤレスに通信し得る。基地局１０５のサイトの各々は、それぞれの地理的カバレージエリア１１０に通信カバレージを提供し得る。いくつかの態様では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ、ホームノードＢ、ホームｅノードＢ、セル、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。異なる技術のための重複するカバレージエリアがあり得る。
【００２１】
[0036]実装形態では、ワイヤレス通信システム１００はＬＴＥ／ＬＴＥ−Ａネットワーク通信システムである。ＬＴＥ／ＬＴＥ−Ａネットワーク通信システムでは、発展型ノードＢ（ｅノードＢ）という用語は、概して、基地局１０５を記述するために使用され得る。ワイヤレス通信システム１００は、異なるタイプのｅノードＢが様々な地理的領域にカバレージを与える、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、概して、比較的小さい地理的エリア（たとえば、建築物）をカバーすることになり、ネットワークプロバイダのサービスに加入しているＵＥ１１５による無制限アクセスを可能にし得る。また、フェムトセルは、概して、比較的小さい地理的エリア（たとえば、自宅）をカバーすることになり、無制限アクセスに加えて、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを可能にし得る。マクロセルのためのｅノードＢ１０５はマクロｅノードＢと呼ばれることがある。ピコセルのためのｅノードＢ１０５はピコｅノードＢと呼ばれることもある。また、フェムトセルのためのｅノードＢ１０５はフェムトｅノードＢまたはホームｅノードＢと呼ばれることがある。ｅノードＢ１０５は、１つまたは複数の（たとえば、２つ、３つ、４つなどの）セルをサポートし得る。ワイヤレス通信システム１００は、ＵＥ１１５のうちの１つまたは複数によってＬＴＥおよびＷＬＡＮまたはＷｉ−Ｆｉの使用をサポートし得る。
【００２２】
[0037]コアネットワーク１３０は、第１のバックホールリンク１３２（たとえば、Ｓ１インターフェースなど）を介してｅノードＢ１０５または他の基地局１０５と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。本明細書で説明される技法は、同期動作または非同期動作のいずれかに対して使用され得る。
【００２３】
[0038]ＵＥ１１５は、ワイヤレス通信システム１００全体にわたって分散されてよく、各ＵＥ１１５は固定的または移動性であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。
【００２４】
[0039]ワイヤレス通信システム１００に示された通信リンク１２５は、ＵＥ１１５からｅノードＢ１０５へのアップリンク（ＵＬ）送信および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００２５】
[0040]ワイヤレス通信システム１００のいくつかの態様では、ＵＥ１１５またはｅノードＢ１０５は、１つまたは複数のＲＡＴエンティティを含み得る。ＲＡＴエンティティは、ＲＡＴ層、ＲＡＴプロトコル層、ＲＡＴプロトコルエンティティ、および／または通信プロトコルに関連する他の同様のアーキテクチャ構成要素を指すことができる。一態様では、本明細書で使用する「構成要素」という用語は、システムを構成する部分のうちの１つであり得、ハードウェアまたはソフトウェアであり得、他の構成要素に分割され得る。いくつかの場合には、ＲＡＴエンティティは、無線リンク制御（ＲＬＣ）エンティティまたはＰＤＣＰエンティティなどのパケットコンバージェンスエンティティを含み得る。しかしながら、他の場合には、ＲＡＴエンティティは、ＰＤＣＰエンティティより低い層またはプロトコル（たとえば、媒体アクセス制御（ＭＡＣ）層などの下位層）に関連するエンティティに対応するかまたはそれを含む場合がある。パケットコンバージェンスエンティティは、ワイヤレス通信システム１００内の第１のＲＡＴリンクおよび第２のＲＡＴリンクからデータパケット（たとえば、ＰＤＵ）を受信し得る。パケットコンバージェンスエンティティは、各データパケットが第１および第２のＲＡＴリンクのどちらから受信されたかを識別し、それらのそれぞれのＲＡＴリンクに少なくとも部分的に基づいて受信されたデータパケットのそれぞれのシーケンス番号値をモニタすることができる。次いで、パケットコンバージェンスエンティティは、データパケットのシーケンス番号値が順序外れで受信されたときに１つまたは複数のアクションを実行し得る。１つまたは複数のアクションは、本明細書で説明されるように、データパケットを再順序付けすること、アグリゲートすること、および／またはバッファリングすることを行うための様々な動作を含み得る。これらの動作はまた、再順序付けタイマーおよび／または再順序付けバッファの使用を含み得る。一例では、パケットコンバージェンスエンティティは、データパケットが受信された通りに（たとえば、正しい順序または順序外れのいずれかで）、上位層エンティティ（たとえば、ＩＰ層）にデータパケットを配信し得るかまたは送り得る。パケットコンバージェンスエンティティはまた、上位層エンティティにデータパケットを送る前に、（たとえば、受信されたデータパケットが順序外れである場合に）データパケットを再順序付けし、データパケットロスを無視することができる。さらに、パケットコンバージェンスエンティティは、任意の欠落しているデータパケットの再送信を要求し得る。いくつかの例では、第１のＲＡＴリンクはＷＷＡＮリンク（たとえば、ＬＴＥリンクまたはＵＭＴＳリンク）を備え、第２のＲＡＴリンクはＷＬＡＮリンク（たとえば、Ｗｉ−Ｆｉリンク）を備える場合がある。
【００２６】
[0041]ワイヤレス通信システム１００のいくつかの態様では、データパケットは、第１のＲＡＴリンク（たとえば、ＬＴＥリンクまたはＵＭＴＳリンク）および第２のＲＡＴリンク（たとえば、Ｗｉ−Ｆｉリンク）を介してワイヤレス通信デバイス（たとえば、ＵＥ１１５、ｅノードＢ１０５）に送信され、データパケットの各々は、ワイヤレス通信デバイス内のパケットコンバージェンスエンティティ（たとえば、ＰＤＣＰエンティティまたはＲＬＣエンティティ）においてデータパケットアグリゲーションに関して割り当てられたシーケンス番号値を有する。フロー制御は、第１および第２のＲＡＴリンク上で実行されてよく、フロー制御は、ＲＡＴリンクの各々に対してバッファのアンダーフローおよびオーバーフローの一方または両方を防止するように構成される。
【００２７】
[0042]図２は、本開示の一態様に従って構成されたｅノードＢ２１０およびＵＥ２５０の例を概念的に示すブロック図である。たとえば、図２に示されているように、システム２００の基地局／ｅノードＢ２１０およびＵＥ２５０は、それぞれ、図１における基地局／ｅノードＢのうちの１つおよびＵＥのうちの１つであり得る。さらに、基地局／ｅノードＢ２１０およびＵＥ２５０は、ＷＷＡＮおよびＷＬＡＮからのデータをアグリゲートするために本明細書で説明される技法を実施するように構成され得る。基地局２１０はアンテナ２３４１〜ｔを搭載し得、ＵＥ２５０はアンテナ２５２１〜ｒを搭載し得、ここで、ｔおよびｒは１以上の整数である。
【００２８】
[0043]基地局２１０において、基地局送信プロセッサ２２０は、基地局データソース２１２からデータを受信し、基地局コントローラ／プロセッサ２４０から制御情報を受信し得る。制御情報は、ＰＢＣＨ、ＰＣＦＩＣＨ、ＰＨＩＣＨ、ＰＤＣＣＨなどの上で搬送され得る。データは、ＰＤＳＣＨなどの上で搬送され得る。基地局送信プロセッサ２２０は、データと制御情報とを処理（たとえば、符号化およびシンボルマッピング）して、それぞれデータシンボルと制御シンボルとを取得し得る。基地局送信プロセッサ２２０はまた、たとえば、ＰＳＳ、ＳＳＳ、およびセル固有基準信号（ＲＳ：reference signal）のための基準シンボルを生成し得る。基地局送信（ＴＸ）多重入力多重出力（ＭＩＭＯ）プロセッサ２３０は、適用可能な場合、データシンボル、制御シンボル、および／または基準シンボルにおいて空間処理（たとえば、プリコーディング）を実行し得、基地局変調器／復調器（ＭＯＤ／ＤＥＭＯＤ）２３２１〜ｔに出力シンボルストリームを与え得る。各基地局変調器／復調器２３２は、出力サンプルストリームを取得するために、（たとえば、ＯＦＤＭなどのために）それぞれの出力シンボルストリームを処理し得る。各基地局変調器／復調器２３２は、出力サンプルストリームをさらに処理（たとえば、アナログへの変換、増幅、フィルタ処理、およびアップコンバート）して、ダウンリンク信号を取得し得る。変調器／復調器２３２１〜ｔからのダウンリンク信号は、それぞれアンテナ２３４１〜ｔを介して送信され得る。
【００２９】
[0044]ＵＥ２５０において、ＵＥアンテナ２５２１〜ｒは、基地局２１０からダウンリンク信号を受信し得、受信信号をそれぞれＵＥ変調器／復調器（ＭＯＤ／ＤＥＭＯＤ）２５４１〜ｒに与え得る。各ＵＥ変調器／復調器２５４は、入力サンプルを取得するために、それぞれの受信信号を調整（たとえば、フィルタ処理、増幅、ダウンコンバート、およびデジタル化）し得る。各ＵＥ変調器／復調器２５４はさらに、受信シンボルを取得するために、（たとえば、ＯＦＤＭなどのために）入力サンプルを処理し得る。ＵＥ  ＭＩＭＯ検出器２５６は、すべてのＵＥ変調器／復調器２５４１〜ｒから受信シンボルを取得し、適用可能な場合は受信シンボルに対してＭＩＭＯ検出を実行し、検出シンボルを与え得る。ＵＥ受信プロセッサ２５８は、検出シンボルを処理（たとえば、復調、デインターリーブ、および復号）し、ＵＥ２５０の復号されたデータをＵＥデータシンク２６０に与え、復号された制御情報をＵＥコントローラ／プロセッサ２８０に与え得る。
【００３０】
[0045]アップリンク上では、ＵＥ２５０において、ＵＥ送信プロセッサ２６４は、ＵＥデータソース２６２から（たとえば、ＰＵＳＣＨのための）データを受信し、処理し得、ＵＥコントローラ／プロセッサ２８０から（たとえば、ＰＵＣＣＨのための）制御情報を受信し、処理し得る。ＵＥ送信プロセッサ２６４はまた、基準信号のための基準シンボルを生成し得る。ＵＥ送信プロセッサ２６４からのシンボルは、適用可能な場合はＵＥ  ＴＸ  ＭＩＭＯプロセッサ２６６によってプリコーディングされ、（たとえば、ＳＣ−ＦＤＭなどのために）ＵＥ変調器／復調器２５４１〜ｒによってさらに処理され、基地局３１０に送信され得る。基地局２１０において、ＵＥ２５０からのアップリンク信号は、基地局アンテナ２３４によって受信され、基地局変調器／復調器２３２によって処理され、適用可能な場合は基地局ＭＩＭＯ検出器２３６によって検出され、基地局受信プロセッサ２３８によってさらに処理されて、ＵＥ２５０によって送られた復号されたデータと制御情報とが取得され得る。基地局受信プロセッサ３３８は、復号されたデータを基地局データシンク２４６に与え、復号された制御情報を基地局コントローラ／プロセッサ２４０に与え得る。
【００３１】
[0046]基地局コントローラ／プロセッサ２４０およびＵＥコントローラ／プロセッサ２８０は、それぞれ基地局２１０およびＵＥ２５０における動作を指示または制御し得る。基地局２１０における基地局コントローラ／プロセッサ２４０ならびに／または他のプロセッサおよびモジュールは、たとえば、図１０、図１１、図１２、および／または図１３に示される機能ブロック、本明細書で説明される技法に関する様々なプロセス（たとえば、図７、図８、図１４、および／または図１５に示されるフローチャート）の実行を実施または指示し得る。ＵＥ２５０におけるＵＥコントローラ／プロセッサ２８０ならびに／または他のプロセッサおよびモジュールはまた、たとえば、図９、図１１、図１２、および／または図１３に示される機能ブロック、ならびに／あるいは本明細書で説明される技法のための他のプロセス（たとえば、図７、図８、図１４、および／または図１５に示されるフローチャート）の実行を実施または指示し得る。基地局メモリ２４２およびＵＥメモリ２８２は、それぞれ基地局２１０およびＵＥ２５０のためのデータおよびプログラムコード（たとえば、プロセッサによって実行可能なコード）を記憶し得る。たとえば、ＵＥメモリ２８２は、基地局２１０によって与えられたＤＲＸ構成のセットを記憶し得る。スケジューラ２４４は、ダウンリンクおよび／またはアップリンク上でのデータ送信のためにＵＥ２５０をスケジュールするために使用され得る。
【００３２】
[0047]一実装形態では、基地局２１０は、パケットコンバージェンスエンティティ（たとえば、ＰＤＣＰエンティティ）によって、第１のＲＡＴリンクおよび第２のＲＡＴリンクとデータパケットを通信するための手段を含み得る。基地局２１０は、各データパケットが第１および第２のＲＡＴリンクのどちらから受信されたかを決定または識別するための手段を含み得る。基地局２１０は、第１および第２のＲＡＴリンクからのデータパケットの各々のシーケンス番号値をモニタするための手段を含み得、モニタリングは、受信されたデータパケットのそれぞれのＲＡＴリンクに少なくとも部分的に基づき得る。基地局２１０は、第１および第２のＲＡＴリンク上で受信されたデータパケットのシーケンス番号値が順序外れであるかどうかを決定するための手段を含み得る。基地局２１０は、データパケットのシーケンス番号値は順序外れであるとの決定があるときに、１つまたは複数のアクションを実行するための手段を含み得る。基地局２１０は、第１のＲＡＴリンクおよび第２のＲＡＴリンクの一方または両方における１つまたは複数のイベントに応答してパケットステータス情報を交換するための手段を含み得る。別の実装形態では、基地局２１０は、第１のＲＡＴリンクおよび第２のＲＡＴリンクを介してワイヤレス通信デバイスにデータパケットを送信するための手段を含み得、データパケットの各々は、ワイヤレス通信デバイス内のパケットコンバージェンスエンティティ（たとえば、ＰＤＣＰエンティティ）におけるデータパケットアグリゲーションに関して割り当てられたシーケンス番号値を有する。基地局２１０は、第１および第２のＲＡＴリンク上でフロー制御を実行するための手段を含み得、フロー制御は、ＲＡＴリンクの各々に対してバッファのアンダーフローおよびオーバーフローの一方または両方を防止するように構成される。一態様では、上述の手段は、上述の手段によって列挙された機能を実行するように構成された、基地局コントローラ／プロセッサ２４０、基地局メモリ２４２、基地局送信プロセッサ２２０、基地局変調器／復調器２３２、および基地局アンテナ２３４であり得る。別の態様では、上述の手段は、上述の手段によって列挙された機能を実行するように構成されたモジュール、構成要素、または任意の装置であり得る。そのようなモジュール、構成要素、または装置の例は、図４Ａ、図４Ｂ、図４Ｃ、図５、図６、図９、図１０、図１１、図１２、および／または図１３に関して説明され得る。
【００３３】
[0048]一構成では、ＵＥ２５０は、パケットコンバージェンスエンティティ（たとえば、ＰＤＣＰエンティティ）において、第１のＲＡＴリンクおよび第２のＲＡＴリンクとデータパケットを通信するための手段を含み得る。ＵＥ２５０は、各データパケットが第１および第２のＲＡＴリンクのどちらから受信されたかを決定または識別するための手段を含み得る。ＵＥ２５０は、第１および第２のＲＡＴリンクからのデータパケットの各々のシーケンス番号値をモニタするための手段を含み得、モニタリングは、受信されたデータパケットのそれぞれのＲＡＴリンクに少なくとも部分的に基づき得る。ＵＥ２５０は、第１および第２のＲＡＴリンク上で受信されたデータパケットのシーケンス番号値が順序外れであるかどうかを決定するための手段を含み得る。ＵＥ２５０は、データパケットのシーケンス番号値は順序外れであるとの決定があるときに、１つまたは複数のアクションを実行するための手段を含み得る。ＵＥ２５０は、第１のＲＡＴリンクおよび第２のＲＡＴリンクの一方または両方における１つまたは複数のイベントに応答してパケットステータス情報を交換するための手段を含み得る。別の構成では、ＵＥ２５０は、第１のＲＡＴリンクおよび第２のＲＡＴリンクを介してワイヤレス通信デバイスにデータパケットを送信するための手段を含み得、データパケットの各々は、ワイヤレス通信デバイス内のパケットコンバージェンスエンティティ（たとえば、ＰＤＣＰエンティティまたはＲＬＣエンティティ）におけるデータパケットアグリゲーションに関して割り当てられたシーケンス番号値を有する。ＵＥ２５０は、第１および第２のＲＡＴリンク上でフロー制御を実行するための手段を含み得、フロー制御は、第１および第２のＲＡＴリンクの各々に対してバッファのアンダーフローおよびオーバーフローの一方または両方を防止するように構成される。一態様では、上述の手段は、上述の手段によって列挙された機能を実行するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、およびＵＥアンテナ２５２であり得る。別の態様では、上述の手段は、上述の手段によって列挙された機能を実行するように構成されたモジュール、構成要素、または任意の装置であり得る。そのようなモジュール、構成要素、または装置の例は、図４Ａ、図４Ｂ、図４Ｃ、図５、図６、図９、図１０、図１１、図１２、および／または図１３に関して説明され得る。
【００３４】
[0049]図３は、本開示の一態様による、ＵＥにおけるＷＷＡＮおよびＷＬＡＮの無線アクセス技術のアグリゲーションを概念的に示すブロック図である。アグリゲーションは、１つまたは複数のコンポーネントキャリア１〜Ｎ（ＣＣ１〜ＣＣＮ）を使用してｅノードＢ３０５−ａと通信し、ＷＬＡＮキャリア３４０を使用してＷＬＡＮアクセスポイント（ＡＰ）３０５−ｂと通信することができる、マルチモードＵＥ３１５を含むシステム３００中で行われ得る。この例におけるマルチモードＵＥは、２つ以上のＲＡＴをサポートするＵＥを指すことができる。たとえば、ＵＥ３１５は、少なくとも１つのセルラー技術（たとえば、ＬＴＥ）と無認可スペクトルスペクトル技術（たとえば、ＷＬＡＮ／Ｗｉ−Ｆｉ）とをサポートする。ＵＥ３１５は、図１、図２、図４Ａ、図４Ｂ、図４Ｃ、図５、図６、図９、および／または図１０のＵＥのうちの１つの一例であり得る。ｅノードＢ３０５−ａは、図１、図２、図４Ａ、図４Ｂ、図４Ｃ、図５、図６、図９、および／または図１０のｅノードＢまたは基地局のうちの１つの一例であり得る。図３には、１つのＵＥ３０５、１つのｅノードＢ３０５−ａ、および１つのＡＰ３０５−ｂだけが示されているが、システム３００は、任意の数のＵＥ３０５、ｅノードＢ３０５−ａ、および／またはＡＰ３０５−ｂを含むことができることを諒解されたい。
【００３５】
[0050]ｅノードＢ３０５−ａは、ＬＴＥコンポーネントキャリアＣＣ１〜ＣＣＮ３３０上の順方向（ダウンリンク）チャネル３３２−１〜３３２−Ｎを介してＵＥ３１５に情報を送信し得る。さらに、ＵＥ３１５は、ＬＴＥコンポーネントキャリアＣＣ１〜ＣＣＮ上の逆方向（アップリンク）チャネル３３４−１〜３３４−Ｎを介してｅノードＢ３０５−ａに情報を送信し得る。同様に、ＡＰ３０５−ｂは、ＷＬＡＮキャリア３４０上の順方向（ダウンリンク）チャネル３５２を介してＵＥ３１５に情報を送信し得る。さらに、ＵＥ３１５は、ＷＬＡＮキャリア３４０の逆方向（アップリンク）チャネル３５４を介してＡＰ３０５−ｂに情報を送信し得る。
【００３６】
[0051]図３ならびに開示される実施形態のいくつかと関連付けられる他の図の様々なエンティティを説明する際に、説明の目的で、３ＧＰＰ  ＬＴＥまたはＬＴＥ−Ａワイヤレスネットワークと関連付けられる名称が使用されている。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００３７】
[0052]マルチキャリア動作中、異なるＵＥ３１５に関連するダウンリンク制御情報（ＤＣＩ：downlink control information）メッセージは、複数のコンポーネントキャリア上で搬送され得る。たとえば、ＰＤＣＣＨ上のＤＣＩは、物理ダウンリンク共有チャネル（ＰＤＳＣＨ：physical downlink shared channel）送信のためにＵＥ３１５によって使用されるように構成された同じコンポーネントキャリア上に含まれ得る（すなわち、同一キャリアシグナリング）。代替または追加として、ＤＣＩは、ＰＤＳＣＨ送信ために使用されるターゲットコンポーネントキャリアとは異なるコンポーネントキャリア上で搬送され得る（すなわち、クロスキャリアシグナリング）。いくつかの実装形態では、半静的に有効化され得るキャリアインジケータフィールド（ＣＩＦ）は、ＰＤＳＣＨ送信のためにターゲットキャリア以外のキャリアからのＰＤＣＣＨ制御シグナリングの送信を可能にするために、一部または全部のＤＣＩフォーマット中に含まれ得る（クロスキャリアシグナリング）。
【００３８】
[0053]本例では、ＵＥ３１５は、１つのｅノードＢ３０５−ａからデータを受信し得る。しかしながら、セルエッジ上のユーザは、データレートを制限する場合がある高いセル間干渉を経験する場合がある。マルチフローが、ＵＥが同時に２つのｅノードＢ３０５−ａからデータを受信することを可能にする。マルチフローは、ＵＥが同時に２つの隣接するセル中の２つのセルタワーの範囲内にあるとき、２つのまったく別個のストリーム中で２つのｅノードＢ３０５−ａからのデータを送信および受信することによって動作する。ＵＥは、デバイスがいずれかのｅノードＢの到達範囲のエッジ上にあるとき、同時に２つのｅノードＢ３０５−ａと通話する。同時に２つの異なるｅノードＢからモバイルデバイスに２つの独立データストリームをスケジューリングすることによって、マルチフローは、ＨＳＰＡネットワークにおける不均一なローディングを活用する。これは、セルエッジユーザ経験を向上させるのを助けるとともに、ネットワーク容量を増大させる。一例では、セルエッジにおけるユーザ向けのスループットデータ速度が倍になり得る。いくつかの態様では、マルチフローはまた、ＵＥがセルタワーとＷＬＡＮタワーの両タワーの範囲内にあるときに、セルタワーおよびＷＬＡＮタワー（たとえば、ＡＰ）に同時にＵＥが通話する能力を指す場合がある。マルチフローは、デュアルキャリアＨＳＰＡと同様であるＬＴＥ／ＬＴＥ−Ａの特徴であるが、相違がある。たとえば、デュアルキャリアＨＳＰＡは、デバイスに同時に接続するための複数のタワーへの接続性を認めない。
【００３９】
[0054]従来、ＬＴＥ−Ａ規格化、ＬＴＥコンポーネントキャリア３３０は後方互換であり、これは、新規リリースへの円滑な移行を可能にしていた。ただし、この特徴により、ＬＴＥコンポーネントキャリア３３０は、帯域幅全体に渡るすべてのサブフレーム中で共通基準信号（ＣＲＳ、すなわちセル固有基準信号とも呼ばれる）を連続して送信していた。ほとんどのセルサイトエネルギー消費は、制限された制御シグナリングのみが送信中であるときでもセルがオンのままであり、増幅器にエネルギーを消費し続けさせるので、電力増幅器によって引き起こされる。ＣＲＳは、ＬＴＥのリリース８において採り入れられ、ＬＴＥの最も基本的なダウンリンク基準信号である。ＣＲＳは、周波数領域内のすべてのリソースブロック中で、およびすべてのダウンリンクサブフレーム中で送信される。セル中のＣＲＳは、１つ、２つ、または４つの対応するアンテナポート向けであり得る。ＣＲＳは、リモート端末によって、コヒーレントな復調のためのチャネルを推定するのに使われ得る。新規キャリアタイプ（ＮＣＴ）は、５つのサブフレームのうち４つの中でＣＲＳの送信を削除することによって、セルのスイッチオフを一時的に許可する。この特徴は、ＣＲＳが帯域幅に渡るすべてのサブフレーム中でもはや連続しては送信されないので、電力増幅器によって消費される電力、ならびにＣＲＳからのオーバーヘッドおよび干渉を削減する。さらに、新規キャリアタイプにより、ダウンリンク制御チャネルは、ＵＥ固有復調基準シンボルを使って運用されるようになる。新規キャリアタイプは、別のＬＴＥ／ＬＴＥ−Ａキャリアとともにある種の拡張キャリアとして、あるいはスタンドアロンの非後方互換キャリアとして運用され得る。
【００４０】
[0055]本例に関して、ＷＷＡＮおよびＷＬＡＮの無線アクセス技術のデータアグリゲーションは、ＵＥに関連して説明されているが、ＷＷＡＮおよびＷＬＡＮの無線アクセス技術のＵＥデータは、ｅノードＢにおいて同様にアグリゲートされ得ることを理解されたい。
【００４１】
[0056]図４Ａは、本開示の一態様による、ＵＥ４１５とＰＤＮ４４０（たとえば、インターネット）との間のデータ経路４４５および４５０の一例を概念的に示すブロック図である。データ経路４４５、４５０は、ＷＷＡＮおよびＷＬＡＮの無線アクセス技術からのデータをアグリゲートするためのワイヤレス通信システム４００−ａのコンテキスト内で示されている。図３のシステム３００は、ワイヤレス通信システム４００−ａの部分の一例であり得る。ワイヤレス通信システム４００−ａは、マルチモードＵＥ４１５と、ｅノードＢ４０５−ａと、ＷＬＡＮ  ＡＰ４０５−ｂと、発展型パケットコア（ＥＰＣ：evolved packet core）４８０と、ＰＤＮ４４０と、ピアエンティティ４５５とを含み得る。ＥＰＣ４８０は、モビリティ管理エンティティ（ＭＭＥ：mobility management entity）４３０と、サービングゲートウェイ（ＳＧＷ）４３２と、ＰＤＮゲートウェイ（ＰＧＷ）４３４とを含み得る。ホーム加入者システム（ＨＳＳ：home subscriber system）４３５は、ＭＭＥ４３０に通信可能に結合され得る。ＵＥ４１５は、ＬＴＥ無線機４２０とＷＬＡＮ無線機４２５とを含み得る。これらの要素は、前のまたは後続の図を参照しながら上記で説明されたそれらのカウンターパートのうちの１つまたは複数の態様を表し得る。たとえば、ＵＥ４１５は、図１、図２、図３、図５、図６、図９、および／または図１０におけるＵＥの一例であり得、ｅノードＢ４０５−ａは、図１、図２、図３、図５、図６、図９、および／または図１０のｅノードＢ／基地局の一例であり得、ＡＰ４０５−ｂは、図３、図５、図９、および／または図１０のＡＰの一例であり得、ならびに／あるいはＥＰＣ４８０は、図１および／または図１０のコアネットワークの一例であり得る。
【００４２】
[0057]再び図４Ａを参照すると、ｅノードＢ４０５−ａおよびＡＰ４０５−ｂは、１つまたは複数のＬＴＥコンポーネントキャリアあるいは１つまたは複数のＷＬＡＮコンポーネントキャリアのアグリゲーションを使用して、ＵＥ４１５にＰＤＮ４４０へのアクセスを与えることが可能であり得る。ＰＤＮ４４０へのこのアクセスを使用して、ＵＥ４１５はピアエンティティ４５５と通信し得る。ｅノードＢ４０５−ａは、（たとえば、データ経路４４５を通して）発展型パケットコア４８０を通してＰＤＮ４４０へのアクセスを与え得、ＷＬＡＮ  ＡＰ４０５−ｂは、（たとえば、データ経路４５０を通して）ＰＤＮ４４０への直接アクセスを与え得る。
【００４３】
[0058]ＭＭＥ４３０は、ＵＥ４１５とＥＰＣ４８０との間のシグナリングを処理する制御ノードであり得る。概して、ＭＭＥ４３０はベアラおよび接続管理を行い得る。ＭＭＥ４３０は、したがって、ＵＥ４１５のためにアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５−ａと通信し得る。ＭＭＥ４３０は、ＵＥ４１５をさらに認証し、ＵＥ４１５との非アクセス層（ＮＡＳ：Non-Access Stratum）シグナリングを実装し得る。
【００４４】
[0059]ＨＳＳ４３５は、機能の中でも、加入者データを記憶し、ローミング制限を管理し、加入者のためのアクセス可能アクセスポイント名（ＡＰＮ：access point name）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信し得る。
【００４５】
[0060]ＬＴＥ上で送信されるすべてのユーザＩＰパケットは、ｅノードＢ４０５−ａを通してＳＧＷ４３２に転送され得、ＳＧＷ４３２は、Ｓ５シグナリングインターフェースを介してＰＤＮゲートウェイ４３４に接続され、Ｓ１１シグナリングインターフェースを介してＭＭＥ４３０に接続され得る。ＳＧＷ４３２は、ユーザプレーンに常駐し、ｅノードＢ間ハンドオーバおよび異なるアクセス技術間のハンドオーバのためのモビリティアンカーとして働き得る。ＰＤＮゲートウェイ４３５はＵＥのＩＰアドレス割振りならびに他の機能を与え得る。
【００４６】
[0061]ＰＤＮゲートウェイ４３４は、ＳＧｉシグナリングインターフェースを介して、ＰＤＮ４４０など、１つまたは複数の外部パケットデータネットワークへの接続性を与え得る。ＰＤＮ４４０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００４７】
[0062]本例では、ＵＥ４１５とＥＰＣ４８０との間のユーザプレーンデータは、トラフィックがＬＴＥリンクの経路４４５を介して流れるのか、ＷＬＡＮリンクの経路４５０を介して流れるのかにかかわらず、１つまたは複数のＥＰＳベアラの同じセットを横断し得る。１つまたは複数のＥＰＳベアラのセットに関係するシグナリングまたは制御プレーンデータは、ｅノードＢ４０５−ａを経由して、ＵＥ４１５のＬＴＥ無線機４２０とＥＰＣ４８０−ｂのＭＭＥ４３０との間で送信され得る。
【００４８】
[0063]図４Ｂは、本開示の一態様による、ＵＥ４１５とＰＤＮ４４０との間のデータ経路４４５および４５０の別の例を概念的に示すブロック図である。データ経路４４５、４５０は、図４Ａのワイヤレス通信システム４００−ａと実質的に同様であるＷＬＡＮおよびＷＷＡＮの無線アクセス技術からのデータをアグリゲートするためのワイヤレス通信システム４００−ｂのコンテキスト内で示される。図４ＢにおけるｅノードＢ４０５−ａおよびＡＰ４０５−ｂは、コロケートされ得るか、またはさもなければ互いに高速通信することができる。この例では、ＵＥ４１５とＷＬＡＮ  ＡＰ４０５−ｂとの間のＥＰＳベアラ関連データは、ｅノードＢ４０５−ａにルーティングされ、次いでＥＰＣ４８０にルーティングされ得る。このようにして、すべてのＥＰＳベアラ関係データは、ｅノードＢ４０５−ａと、ＥＰＣ４８０と、ＰＤＮ４４０と、ピアエンティティ４５５との間で同じ経路に沿ってフォワーディングされ得る。
【００４９】
[0064]図４Ｃは、本開示の一態様による、アグリゲーションがアンカーｅノードＢ４０５−ａにおいて終端するＰＤＣＰを使用する一例を概念的に示すブロック図である。ＷＬＡＮおよびＷＷＡＮの無線アクセス技術からのデータをアグリゲートするためのワイヤレス通信システム４００−ｃは、それぞれ、図４Ａのワイヤレス通信システム４００−ａおよび図４Ｂのワイヤレス通信システム４００−ｂと実質的に同様である。図４ＣにおけるｅノードＢ４０５−ａおよびＡＰ４０５−ｂは、コロケートされ得るか、またはさもなければ互いに高速通信することができる。この例では、ＵＥ４１５とｅノードＢ４０５−ａとの間のＥＰＳベアラ関連データは、データ経路４４５および４５０を介して送信され得、ＰＤＣＰを使用して受信デバイスにおいてアグリゲートされ得る。たとえば、図４Ｃにおけるデータアグリゲーションは、ＰＤＣＰが、ブースタノードとして働く別のノード（たとえば、ＷＬＡＮ  ＡＰ４０５−ｂ）に対するデータ（たとえば、ＰＤＵ）をアグリゲートするデータプレーンに対するアンカーとして働くノード（たとえば、ｅノードＢ４０５−ａ）において終端するものであり得る。一実装形態では、ｅノードＢ４０５−ａは、データ経路４４５と４５０（たとえば、ＬＴＥリンクとＷｉ−Ｆｉリンク）の両方を介してシーケンス番号値を有するデータパケットを送信し得、データパケットは、パケットコンバージェンスエンティティ（たとえば、ＰＤＣＰ層またはＲＬＣ層）を使用してＵＥ４１５によってアグリゲートされ得る。別の実装形態では、ＵＥ４１５は、データ経路４４５と４５０（たとえば、ＬＴＥリンクとＷｉ−Ｆｉリンク）の両方を介してシーケンス番号値を有するデータパケットを送信し得、データパケットは、パケットコンバージェンスエンティティ（たとえば、ＰＤＣＰ層またはＲＬＣ層）を使用してｅノードＢ４０５−ａによってアグリゲートされ得る。これらの実装形態のいずれかでは、パケットが順序外れで受信されるときに、パケットコンバージェンスエンティティは、欠落しているおよび／または受信されていないパケットをハンドリングするために１つまたは複数のアクションを実行し得る。
【００５０】
[0065]図４Ａ、図４Ｂ、および図４Ｃの態様は、ＬＴＥに関して説明されてきたが、データアグリゲーションまたはコンバージェンスに関する同様の態様もまた、ＵＭＴＳまたは他の同様のシステムもしくはネットワークのワイヤレス通信無線技術に対して実装され得る。
【００５１】
[0066]図５は、本開示の一態様による、アグリゲーションがアンカーｅノードＢ５０５−ａにおいて終端するＰＤＣＰを使用するＰＧＷユーザプレーンの一例を概念的に示すブロック図である。ワイヤレス通信システム５００は、ＵＥ５１５と、ｅノードＢ５０５−ａと、ＷＬＡＮ  ＡＰ５０５−ｂと、ＳＧＷ／ＰＧＷ５３０とを含む。ＵＥ５１５は、図１、図２、図３、図４Ａ、図４Ｂ、図４Ｃ、図６、図９、および／または図１０におけるＵＥの一例であり得る。ｅノードＢ５０５−ａは、図１、図２、図３、図４Ａ、図４Ｂ、図４Ｃ、図６、図９、および／または図１０におけるｅノードＢの一例であり得る。ＷＬＡＮ  ＡＰ５０５−ｂは、図３、図４Ａ、図４Ｂ、図４Ｃ、図９、および／または図１０におけるＡＰの一例であり得る。その上、ＳＧＷ／ＰＧＷ５３０は、図４Ａ、図４Ｂ、および図４ＣにおけるＳＧＷ４３２およびＰＧＷ４３４の様々な態様の一例であり得る。
【００５２】
[0067]ＵＥ５１５は、複数の構成要素またはエンティティを含み得る。たとえば、ＵＥ５１５は、物理層（ＰＨＹ）エンティティ５０８と、ＭＡＣ層エンティティ５０６と、ＰＤＣＰエンティティ５０４と、ＩＰエンティティ５０２とを含み得る。この例では、ＩＰエンティティ５０２は、ＰＤＣＰエンティティ５０４に対する上位層または上位エンティティと呼ばれる場合がある一方で、ＭＡＣ層エンティティ５０６およびＰＨＹエンティティ５０８は、ＰＤＣＰエンティティ５０４に対する下位層または下位エンティティと呼ばれる場合がある。
【００５３】
[0068]ＷＬＡＮ  ＡＰ５０５−ｂは、複数の構成要素またはエンティティを含み得る。たとえば、ＷＬＡＮ  ＡＰ５０５−ｂは、ＭＡＣ層エンティティ５１２と、ＰＨＹエンティティ５１４と、ユーザデータグラムプロトコル上のＧＰＲＳトンネリングプロトコル（ＧＴＰ−Ｕ）／ＵＤＰエンティティ５１６と、ＩＰエンティティ５１８と、レベル２（Ｌ２）エンティティ５２０と、レベル１（Ｌ１）エンティティ５２２とを含み得る。
【００５４】
[0069]ｅノードＢ５０５−ａは、複数の構成要素またはエンティティを含み得る。たとえば、ｅノードＢ５０５−ａは、ＰＤＣＰエンティティ５３２と、ＧＴＰ−Ｕ／ＵＤＰエンティティ５３４と、ＩＰエンティティ５３６と、Ｌ２エンティティ５３８と、Ｌ１エンティティ５４０と、ＧＴＰ−Ｕ／ＵＤＰエンティティ５４２と、ＵＤＰエンティティ５４４と、ＩＰエンティティ５４６と、Ｌ２エンティティ５４８と、Ｌ１エンティティ５５０とを含み得る。
【００５５】
[0070]ＳＧＷ／ＰＧＷ５３０は、ＩＰエンティティ５６２と、ＧＴＰ−Ｕ／ＵＤＰエンティティ５６４と、ＵＤＰエンティティ５６６と、ＩＰエンティティ５６８と、Ｌ２エンティティ５７０と、Ｌ１エンティティ５７２とを含み得る。
【００５６】
[0071]同じく、様々なデバイス間のユーザプレーンインターフェースが図５に示される。たとえば、図５は、ＵＥ５１５とＷＬＡＮ  ＡＰ５０５−ｂとの間のＷＬＡＮインターフェース（たとえば、ＩＥＥＥ８０２．１１インターフェース）と、ＷＬＡＮ  ＡＰ５０５−ｂとｅノードＢ５０５−ａとの間のＸ３インターフェースと、ｅノードＢ５０５−ａとＳＧＷ／ＰＧＷ５３０との間のＳ５インターフェースとを示す。必ずしも、ワイヤレス通信システム５００内で行われるすべてのインターフェースが図５に示されているかまたは説明されているとは限らないことが理解されよう。
【００５７】
[0072]一実装形態では、ｅノードＢ５０５−ａおよびＵＥ５１５は、ＷＬＡＮ  ＡＰ５０５−ｂを経る必要なしに適切なＰＤＣＰエンティティによってアグリゲーションのためのデータパケットの一部を通信することができる。たとえば、ｅノードＢ５０５−ａおよびＵＥ５１５は、ＷＬＡＮ  ＡＰ５０５−ｂを経る必要なしに、ＰＤＣＰエンティティ５３２と５０４とをそれぞれ使用し得る。ｅノードＢ５０５−ａおよびＵＥ５１５は、ＷＬＡＮ  ＡＰ５０５−ｂを介してアグリゲーションのための残りのデータパケットを通信し得る。たとえば、ＵＥ５１５は、ＷＬＡＮ  ＡＰ５０５−ｂ内のエンティティ（たとえば、ＭＡＣエンティティ５１２および／またはＰＨＹエンティティ５１４）と通信するためにより低い層のエンティティ（たとえば、ＭＡＣエンティティ５０６および／またはＰＨＹエンティティ５０８）を使用し得、ＷＬＡＮ  ＡＰ５０５−ｂは、ｅノードＢ５０５−ａ内のエンティティ（たとえば、ＧＴＰ−Ｕ／ＵＤＰ５３４、ＩＰエンティティ５３６、Ｌ２エンティティ５３８、および／またはＬ１エンティティ５４０）と通信するためにより低い層のエンティティ（たとえば、ＧＴＰ−Ｕ／ＵＤＰ５１６、ＩＰエンティティ５１８、Ｌ２エンティティ５２０、および／またはＬ１エンティティ５２２）を使用し得る。
【００５８】
[0073]図６は、本開示の一態様による、単一のＬＴＥ  ＰＤＣＰ６１６を使用するパケットレベルアグリゲーションの一例を概念的に示すブロック図である。ワイヤレス通信システム６００は、アンカーｅノードＢ６０５−ａと、ＷＬＡＮブースタノード（たとえば、ＡＰ）６０５−ｂと、ＵＥ６１５とを含む。アンカーｅノードＢ６０５−ａ、ＷＬＡＮブースタノード６０５−ｂ、およびＵＥ６１５は、様々な図に示される同様のデバイスの例であり得る。ワイヤレス通信システム６００は、ＰＤＣＰアグリゲーションを用いる（たとえば、ＷＷＡＮとＷＬＡＮの）両プロトコルスタックを示す。
【００５９】
[0074]ＵＥ６１５は、制御プレーン（Ｃプレーン）無線リソース制御（ＲＲＣ）エンティティ６１２と、ユーザプレーン（Ｕプレーン）ＲＲＣエンティティ６１４と、ＬＴＥ  ＰＤＣＰエンティティ６１６と、ＷＬＡＮ無線リンクコントローラ（ＲＬＣ）エンティティ６１８（ＲＬＣ  ２）と、ＷＬＡＮ  ＭＡＣエンティティ６２０（ＭＡＣ  ２）と、ＷＬＡＮ  ＰＨＹエンティティ６２２（ＰＨＹ  ２）と、ＷＷＡＮ  ＲＬＣエンティティ６２４（ＲＬＣ  １）と、ＷＷＡＮ  ＭＡＣエンティティ６２６（ＭＡＣ  １）と、ＷＷＡＮ  ＰＨＹエンティティ６２８（ＰＨＹ  １）とを含み得る。
【００６０】
[0075]ＷＬＡＮブースタノード６０５−ｂは、ＲＬＣエンティティ６４４（ＲＬＣ  ２）と、ＭＡＣエンティティ６４６（ＭＡＣ  ２）と、ＰＨＹエンティティ６４８（ＰＨＹ  １）とを含み得る。
【００６１】
[0076]アンカーｅノードＢ６０５−ａは、ＣプレーンＲＲＣエンティティ６３２と、ＵプレーンＲＲＣエンティティ６３４と、ＬＴＥ  ＰＤＣＰエンティティ６３６と、ＲＬＣエンティティ６３８（ＲＬＣ  １）と、ＭＡＶエンティティ６４０（ＭＡＣ  １）と、ＰＨＹエンティティ６４２（ＰＨＹ  １）とを含み得る。
【００６２】
[0077]ダウンリンク動作では、ＵＥ６１５におけるＬＴＥ  ＰＤＣＰ６１６は、パケットをアグリゲートし得、順序外れで受信されたパケットに関する動作をハンドリングし得る。ＬＴＥ  ＰＤＣＰ６１６は、ｅノードＢ６０５−ａ内のＲＬＣ  １、ＭＡＣ  １およびＰＨＹ  １を介し、次いでＵＥ６１５内のＷＷＡＮ  ＰＨＹ  １、ＷＷＡＮ  ＭＡＣ  １およびＷＷＡＮ  ＲＬＣ  １を介して、アンカーｅノードＢ９０５−ａ内のＬＴＥ  ＰＤＣＰエンティティ６３６からデータパケットを受信し得る。同じく、ＬＴＥ  ＰＤＣＰ６１６は、ブースタノード６０５−ｂ内のＲＬＣ  ２、ＭＡＣ  ２およびＰＨＹ  ２を介し、次いでＵＥ６１５内のＷＬＡＮ  ＰＨＹ  ２、ＷＬＡＮ  ＭＡＣ  ２およびＷＬＡＮ  ＲＬＣ  ２を介して、アンカーｅノードＢ９０５−ａ内のＬＴＥ  ＰＤＣＰエンティティ６３６からデータパケットを受信し得る。一例では、ＲＬＣ  ２は、ＷＬＡＮブースタノードに対応するＰＨＹ  ２／ＭＡＣ  ２とともに必要とされない場合がある。アップリンク動作（ＵＥ６１５からｅノードＢ６０５−ａまで）は、ダウンリンク動作と実質的に同様に動作し得る。
【００６３】
[0078]アグリゲーション中に順序外れで受信されたデータパケットに関して本明細書で説明される態様の一部をハンドリングするために、ＰＤＣＰエンティティ（たとえば、ＬＴＥ  ＰＤＣＰエンティティ６１６）は、下流のエンティティ（たとえば、ＲＬＣ）から正しい順序のデータパケット配信を仮定する必要がある場合がある。すなわち、エンティティは、送信制御プロトコル（ＴＣＰ）性能を途絶させないために、正しい順序のデータパケットが受信または送信されているものと仮定し得る。ＰＤＣＰエンティティはまた、データパケットアグリゲーションに対して生じ得る他の問題に対処するように構成され得る。たとえば、ＰＤＣＰは、信頼性のサポートを欠く場合がある。アグリゲートされたセルのうちの１つが構成解除／非アクティブ化される（deconfigured/deactivated）場合、これは、ＲＬＣ  ＰＤＵをセルバッファから脱落させることがある。一例では、ＰＤＣＰレベルのアグリゲーションは、サービスデータユニット（ＳＤＵ）または他のタイプのデータユニットに対して肯定応答（ＡＣＫ）および／または否定応答（ＮＡＣＫ）を送るための機構を持たない場合がある。ＰＤＣＰはまた、一般に、セグメント化をサポートしない場合がある。
【００６４】
[0079]ＰＤＣＰレベルにおける（または同様のプロトコルレベルもしくはプロトコル層における）アグリゲーションは、データパケットエラーおよびＰＤＣＰへのデータパケット配信の順序の観点から異なる特性を有し得る複数のＲＡＴリンクを介するＰＤＣＰ動作を伴う場合がある。一例では、データアグリゲーションをハンドリングするＰＤＣＰエンティティは、そのような異なるリンク特性が上位層および性能に与える影響を低減または最小化するように構成され得る。本明細書で説明されるように、ＰＤＣＰエンティティは、エンティティハンドリングＰＤＣＰ層とエンティティハンドリングＰＤＣＰプロトコルの両方を指すことができる。同様に、他のエンティティもまた、それぞれの層またはそれぞれのプロトコルのいずれかを指す場合がある。さらに、以下で与えられる説明は、２つの別個のＲＡＴリンクを介するＰＤＣＰアグリゲーション動作に言及するが、説明される手法、方法、および技法は、３つ以上のＲＡＴリンクに一般化され得る。加えて、本明細書で説明されるＰＤＣＰアグリゲーション動作は、異なるデバイス内、たとえばｅノードＢ（たとえば、アンカーｅノードＢ）内のＰＤＣＰエンティティによって同様に実装され得る。
【００６５】
[0080]アグリゲーションがＰＤＣＰレベルにおいてハンドリングされ得る方式は、使用されたＲＡＴリンクの各々におけるパケットエラーおよび／またはＰＤＣＰパケット（たとえば、ＰＤＵ）の順序（たとえば、シーケンス番号値またはＳＮ値）に少なくとも部分的に基づくことができる。ＰＤＣＰレベルのアグリゲーションは、ロスのない送信とロスのある（たとえば、ＰＤＵが配信されない）送信とを考慮に入れる場合がある。ＰＤＣＰエンティティに配信されるデータパケットは、ＰＤＣＰ  ＰＤＵのシーケンス番号値が、時間配信の順序とともに（モジュロまで）増加する昇順で送信されてよく、または非昇順で送信されてもよい。いくつかの例では、シーケンスにおける番号の値は、昇順である必要はない（たとえば、非昇順配信）が、そのようなシーケンスにおける番号の値は、依然として、それぞれのデータパケットが順序外れで受信されたかどうかを決定するために十分な情報を提供し得る。
【００６６】
[0081]一例では、第１のＲＡＴリンク（たとえば、ＬＴＥリンク）は、ロスのない昇順のデータパケット配信（たとえば、ＲＬＣ肯定応答モード（ＡＭ））を提供し得る一方で、第２のＲＡＴリンク（たとえば、Ｗｉ−Ｆｉリンク）は、ロスのある昇順または非昇順のいずれかの配信を提供し得る。そのような場合には、パケットを受信するデバイスにおけるＰＤＣＰエンティティハンドリングアグリゲーションは、アクションのいくつかの異なるセットのうちの１つを実行することができる。アクションの第１のセットでは、ＰＤＣＰエンティティは、第１のまたは第２のＲＡＴリンクのいずれかから（たとえば、処理なしに）受信すると、上位層エンティティにＰＤＣＰパケットを配信するかまたは送ることができる。これらの場合には、順序外れのデータパケットの受信およびデータパケットのロスは、上位層エンティティによってハンドリング（たとえば、ＴＣＰ再送信）され得る。アクションの第２のセットでは、ＰＤＣＰエンティティは、ＰＤＣＰパケットのロス（たとえば、欠落しているまたは受信されなかったパケット）を無視しながら、受信されたＰＤＣＰパケットを再順序付けし得る。たとえば、ＰＤＣＰエンティティは、ＰＤＣＰパケットが順序外れで受信された場合、ＰＤＣＰパケットを昇順に再順序付けして、上位層に昇順のＰＤＣＰパケットを供給することを試行する場合がある。しかしながら、デッドロックを引き起こす可能性のある、１つのＲＡＴリンク上の遅延またはエラーを防止するために、ＰＤＣＰパケットは、ある時間期間（たとえば、タイムアウト値）の後に上位層エンティティに配信されてよく、その時間期間内に、ＰＤＣＰエンティティは、順序外れのＰＤＣＰパケットを再順序付けすることを試行する場合がある。時間期間が満了した場合、昇順番号特性は乱されている場合があり、ＰＤＣＰエンティティは、上位層に順序外れのＰＤＣＰパケットを配信する場合がある。次いで、データパケットロスは、上位層によってハンドリングされ得る。アクションの第３のセットでは、ＰＤＣＰエンティティは、欠落しているかまたは受信されていないものと識別され得るデータパケットの再送信を要求し得る。これらの場合には、ＰＤＣＰエンティティは、欠落しているかまたは受信されていないパケットの再送信を要求し、欠落しているかまたは受信されていないデータパケットの再送信を待つことを試行する場合がある。一例では、ＰＤＣＰエンティティは、受信されたデータパケットおよび受信されなかったデータパケットの肯定応答（ＡＣＫ）および／または否定応答（ＮＡＣＫ）を送ることができる。この例では、ＰＤＣＰエンティティは、ＲＬＣ肯定応答モード（ＡＭ）と同様のシーケンスですべてのパケットの配信をもたらすことができる。アクションの第２および第３のセットでは、ＰＤＣＰエンティティは、パケット（たとえば、ＰＤＵ）が受信されたＲＡＴリンクに気付くことができる。いくつかの例では、ＲＡＴリンクの各々に対して固有の異なる別個のシーケンス番号付けが、同じく、より小さい再順序付けタイマー値を有する動作を潜在的に可能にするために導入される場合がある。たとえば、ＰＤＣＰエンティティは、ＲＡＴリンクの各々を介して送信されたデータパケットの別個の互いに素なシーケンス番号値を含み得る。
【００６７】
[0082]図７は、本開示の一態様による、パケットコンバージェンスエンティティ（たとえば、ＰＤＣＰ層エンティティ）においてアグリゲーションをハンドリングするための方法７００を示すフローチャートである。方法７００の一部または全部は、図１、図２、図３、図４Ａ、図４Ｂ、図４Ｃ、図５、図６、図９、図１０、図１１、図１２、および／または図１３のＵＥ、ｅノードＢ、基地局、構成要素、および／またはデバイスによって実装され得る。方法７００の一部または全部は、上記で説明されたアクションの第２のセットに対応し得る。方法７００に関して、パケットコンバージェンスエンティティ（たとえば、ＰＤＣＰエンティティまたはＲＬＣエンティティ）におけるＰＤＣＰデータアグリゲーションに対する２つのＲＡＴリンクのうちの第１のもの（たとえば、ＬＴＥリンクまたはＵＭＴＳリンク）は、ＲＡＴリンクＡ（または単にＡ）と呼ばれる場合があり、昇順のデータパケット配信を供給し得る一方で、ＰＤＣＰデータアグリゲーションに対する２つのＲＡＴリンクのうちの第２のもの（たとえば、Ｗｉ−Ｆｉリンク）は、ＲＡＴリンクＢ（または単にＢ）と呼ばれる場合がある。さらに、上位層エンティティに配信された最大のＰＤＣＰシーケンス番号（ＳＮ）値をＤとし、Ｒ（Ａ）およびＲ（Ｂ）は、ＲＡＴリンクＸ上で受信された最後のＰＤＵのシーケンス番号値を示し得、ここで、Ｘ＝ＡまたはＢである。同じく、ＲｅＯｒｄｅｒＴは、たとえば、タイマーが作動中（アクティブ）であり、以下で説明されるように使用されるときに、時計の刻み（clock tick）とともにインクリメントされるパケット再順序付けタイマー（または単に再順序付けタイマー）であり得る。方法７００の以下の態様は、ＲＡＴリンクＡまたはＲＡＴリンクＢのいずれかにおける下位層エンティティから受信されたＰＤＣＰパケット（たとえば、ＰＤＵまたはデータパケット）Ｒ（Ｘ）の各々に適用される。
【００６８】
[0083]ブロック７１２において、最後に受信されたデータパケットのＳＮ値が、上位層エンティティに配信された最大のＰＤＣＰ  ＳＮ値より小さい（Ｒ（Ｘ）≦Ｄ＋１）とき、最後に受信されたデータパケットまたはＰＤＵは、上位層エンティティ（たとえば、ＩＰエンティティ）に配信され得る。
【００６９】
[0084]ブロック７１４において、最後に受信されたデータパケットのＳＮ値が、上位層エンティティに配信された最大のＰＤＣＰ  ＳＮ値より大きい（Ｒ（Ｘ）＞Ｄ＋１）とき、パッカー再順序付けタイマー（ＲｅＯｒｄｅｒＴ）が作動中である場合には、最後に受信されたデータパケットは、再順序付けバッファ（たとえば、ＰＤＣＰ再順序付けバッファ）に記憶され得る。一方、パケット再順序付けタイマーが作動中でない場合には、パケット再順序付けタイマーは、ＲｅＯｒｄｅｒＴ＝０およびＲｅＯｒｄｅｒＳＮ＝Ｄ＋１に設定することによってアクティブ化（たとえば、起動）され得る。ＲｅＯｒｄｅｒＳＮは、パケット再順序付けタイマーをトリガしたデータパケットのシーケンス番号値を指すまたは示すことができる。
【００７０】
[0085]ブロック７１６において、Ｍ（Ｘ）は、再順序付けバッファに記憶されているＲＡＴリンクＡまたはＲＡＴリンクＢのいずれかに関するデータパケットの最大ＳＮ値（ｍａｘ｛再順序付けバッファ内のリンクＸからのＰＤＵのＳＮ｝）に対応するように定義され得る。この定義に基づいて、パケット再順序付けタイマー（ＲｅＯｔｄｅｒＴ）は、以下の条件、すなわち、最後に受信されたデータパケットのＳＮ値がパケット再順序付けタイマーをトリガしたデータパケットのシーケンス番号値に等しい（Ｒ（Ｘ）＝＝ＲｅＯｒｄｅｒＳＮ）とき、パケット再順序付けタイマーがパケット再順序付けしきい値（ＲｅＯｒｄｅｒＭａｘ）に等しい（ＲｅＯｒｄｅｒＴ＝ＲｅＯｒｄｅｒＭａｘ）とき、またはＲＡＴリンクＡとＲＡＴリンクＢの両方が昇順でデータパケットを配信する場合においてＲＡＴリンクＡもしくはＲＡＴリンクＢのいずれかに関するデータパケットの最大ＳＮ値のうちの最小値がパケット再順序付けタイマーをトリガしたデータパケットのＳＮ値以上である（ｍｉｎ｛Ｍ（Ａ），Ｍ（Ｂ）｝≧ＲｅＯｒｄｅｒＳＮ）とき、のうちの少なくとも１つに対して停止されることができる。この例では、ＲｅＯｒｄｅｒＭａｘは、パケット再順序付けタイマーの最大値を指すまたは示すことができる。ＲｅＯｒｄｅｒＭａｘは調整可能であり得、すなわち、それは異なる条件のもとで増加または減少され得る。
【００７１】
[0086]ブロック７１８において、データパケットが正常に受信されていたとしても、ＲｅＯｒｄｅｒＳＮを生じたデータパケットの後で正しい順序で到達したデータパケットを配信するために、上位層エンティティに配信される最大のＰＤＣＰ  ＳＮ値は、再順序付けバッファに記憶されているデータパケットの最大ＳＮ値に設定され得る（Ｄ＝ｍａｘ｛Ｙ：再順序付けバッファ内でＲｅＯｒｄｅｒＳＮ≦ｙ≦ＹであるようなＳＮ値を有するすべてのデータパケット（ｙ）｝）。
【００７２】
[0087]ブロック７２０において、再順序付けバッファ内のＤのＳＮ値より小さいＳＮ値（ＳＮ≦Ｄ）を有するデータパケットが、上位層エンティティ（たとえば、ＩＰ層エンティティ）に配信され得る。
【００７３】
[0088]ブロック７２２において、上位層エンティティに配信される最大のＰＤＣＰ  ＳＮ値がＲＡＴリンクＡまたはＲＡＴリンクＢのいずれかの最大値より小さい（Ｄ＜ｍａｘ｛Ｍ（Ａ），Ｍ（Ｂ）｝）とき、パケット再順序付けタイマーが、ＲｅＯｒｄｅｒＴ＝０およびＲｅＯｒｄｅｒＳＮ＝Ｄ＋１に設定することによって起動（たとえば、アクティブ化）され得る。
【００７４】
[0089]図８は、本開示の一態様による、パケットコンバージェンスエンティティ（たとえば、ＰＤＣＰ層エンティティ）においてアグリゲーションをハンドリングするための別の方法８００を示すフローチャートである。方法８００の一部または全部は、図１、図２、図３、図４Ａ、図４Ｂ、図４Ｃ、図５、図６、図９、図１０、図１１、図１２、および／または図１３のＵＥ、ｅノードＢ、基地局、構成要素、および／またはデバイスによって実装され得る。方法８００の一部または全部は、上記で説明されたアクションの第３のセットに対応し得る。
【００７５】
[0090]ブロック８１２において、現在のデータパケットのＳＮ値が、上位層エンティティに配信された最大のＰＤＣＰ  ＳＮ値より小さい（Ｒ（Ｘ）≦Ｄ＋１）とき、現在のデータパケットまたはＰＤＵは、上位層エンティティ（たとえば、ＩＰエンティティ）に配信され得る。
【００７６】
[0091]ブロック８１４において、現在のデータパケットのＳＮ値が、上位層エンティティに配信された最大のＰＤＣＰ  ＳＮ値より大きい（Ｒ（Ｘ）＞Ｄ＋１）とき、パケット再順序付けタイマー（ＲｅＯｒｄｅｒＴ）が作動中である場合には、現在のデータパケットは、再順序付けバッファ（たとえば、ＰＤＣＰ再順序付けバッファ）に記憶され得る。一方、パケット再順序付けタイマーが作動中でない場合には、パケット再順序付けタイマーは、ＲｅＯｒｄｅｒＴ＝０およびＲｅＯｒｄｅｒＳＮ＝Ｄ＋１に設定することによってアクティブ化（たとえば、起動）され得る。ＲｅＯｒｄｅｒＳＮは、パケット再順序付けタイマーをトリガしたシーケンス番号値を指すまたは示すことができる。
【００７７】
[0092]ブロック８１６において、Ｍ（Ｘ）は、再順序付けバッファに記憶されているＲＡＴリンクＡまたはＲＡＴリンクＢのいずれかに関するデータパケットの最大ＳＮ値（ｍａｘ｛再順序付けバッファ内のリンクＸからのＰＤＵのＳＮ｝）に対応するように定義され得る。この定義に基づいて、パケット再順序付けタイマー（ＲｅＯｔｄｅｒＴ）は、以下の条件、すなわち、最後に受信されたデータパケットのＳＮ値がパケット再順序付けタイマーをトリガしたデータパケットのシーケンス番号値に等しい（Ｒ（Ｘ）＝＝ＲｅＯｒｄｅｒＳＮ）とき、パケット再順序付けタイマーがパケット再順序付けしきい値（ＲｅＯｒｄｅｒＭａｘ）に等しい（ＲｅＯｒｄｅｒＴ＝ＲｅＯｒｄｅｒＭａｘ）とき、またはＲＡＴリンクＡとＲＡＴリンクＢの両方が昇順でデータパケットを配信する場合においてＲＡＴリンクＡもしくはＲＡＴリンクＢのいずれかに関するデータパケットの最大ＳＮ値のうちの最小値がパケット再順序付けタイマーをトリガしたデータパケットのＳＮ値以上である（ｍｉｎ｛Ｍ（Ａ），Ｍ（Ｂ）｝≧ＲｅＯｒｄｅｒＳＮ）とき、のうちの少なくとも１つに対して停止されることができる。この例では、ＲｅＯｒｄｅｒＭａｘは、パケット再順序付けタイマーの最大値を指すまたは示すことができる。ＲｅＯｒｄｅｒＭａｘは調整可能であり得、すなわち、それは異なる条件のもとで増加または減少され得る。
【００７８】
[0093]ブロック８１８において、データパケットが正常に受信されていたとしても、ＲｅＯｒｄｅｒＳＮを生じたデータパケットの後で正しい順序で到達したデータパケットを配信するために、上位層エンティティに配信される最大のＰＤＣＰ  ＳＮ値は、再順序付けバッファに記憶されているデータパケットの最大ＳＮ値に設定され得る（Ｄ＝ｍａｘ｛Ｙ：再順序付けバッファ内でＲｅＯｒｄｅｒＳＮ≦ｙ≦ＹであるようなＳＮ値を有するすべてのデータパケット（ｙ）｝）。
【００７９】
[0094]ブロック８２０において、上位層エンティティへの最大のＰＤＣＰ  ＳＮ値のＳＮ値より小さいＳＮ値（ＳＮ≦Ｄ）を有する再順序付けバッファ内のデータパケットが、上位層エンティティ（たとえば、ＩＰ層エンティティ）に配信され得る。
【００８０】
[0095]ブロック８２２において、上位層エンティティに配信される最大のＰＤＣＰ  ＳＮ値がＲＡＴリンクＡまたはＲＡＴリンクＢの最大値より小さい（Ｄ＜ｍａｘ｛Ｍ（Ａ），Ｍ（Ｂ）｝）とき、ステータスＰＤＵが、ＳＮ≦Ｄ＋１を有するデータパケットの再送信を要求するために送られ得る。
【００８１】
[0096]ブロック８２４において、パケット再順序付けタイマーは、ＲｅＯｒｄｅｒＴ＝０およびＲｅＯｒｄｅｒＳＮ＝Ｄ＋１に設定することによって起動（たとえば、アクティブ化）され得る。
【００８２】
[0097]方法８００のいくつかの実装形態では、追加のステータスＰＤＵ要求が、ＲＬＣエンティティと同様の方式で使用され得る。リンクＡ上のパケットエラーは、そのような状況（たとえば、ＬＴＥに関する無線リンク障害）では一般に許容されるので、考慮される必要はないという１つの仮定がなされてよいことに留意されたい。
【００８３】
[0098]送信機側、すなわちＰＤＣＰアグリゲーションに関するパケットを送信する側（たとえば、ＵＥまたはｅノードＢ）において、２つのＲＡＴリンクは、一般的に、異なる送信性能を有する場合があるので、ＰＤＣＰと両ＲＡＴリンクとの間のフロー制御が、最適化のために使用され得る。フロー制御は、バッファ占有率および／または各ＲＡＴリンクの送信（たとえば、リンクデータレート）統計値に少なくとも部分的に基づくことができる。フロー制御は、周期的に始動されてよく、様々なネットワークパラメータに基づいてトリガされてもよく、またはこれら２つの組合せでもよい。いくつかのデータベアラが存在するとき、各々のＰＤＣＰエンティティは、同じく、他のデータベアラについての情報を考慮に入れる場合がある。これは、データベアラ間の弁別を同様にもたらし得るスケジューラによって達成され得る。
【００８４】
[0099]図９は、本開示の一態様に従って構成されたＵＥ９１５および構成要素の一例を概念的に示すブロック図である。図９００の基地局／ｅノードＢ９０５−ａ（アンカーノード）、ＡＰ９０５−ｂ（ブースタノード）、およびＵＥ９１５は、それぞれ、様々な図において本明細書で説明される基地局／ｅノードＢ、ＡＰ、およびＵＥのうちの１つであり得る。ｅノードＢ９０５−ａおよびＵＥ９１５は、通信リンク９２５−ａを介して通信し得る。ＡＰ９０５−ｂおよびＵＥ９１５は、通信リンク９２５−ｂを介して通信し得る。通信リンク９２５−ａ、９２５−ｂの各々は、図１の通信リンク１２５の一例であり得る。
【００８５】
[00100]ＵＥ９１５は、パケットコンバージェンス受信機構成要素９４２とパケットコンバージェンス送信機構成要素９４４とを含み得るパケットコンバージェンスエンティティ構成要素９４０を含み得る。
【００８６】
[00101]パケットコンバージェンス受信機構成要素９４２は、第１のＲＡＴリンクおよび第２のＲＡＴリンクとデータパケットを通信することと、データパケットが第１および第２のＲＡＴリンクのどちらから受信されたかを識別することと、データパケットが受信されたそれぞれのＲＡＴリンクに少なくとも部分的に基づいてパケットコンバージェンス受信機構成要素９４２によって受信された各データパケットのシーケンス番号値をモニタすることと、パケットコンバージェンス受信機構成要素９４２によって受信された複数のデータパケットのシーケンス番号値が順序外れであるときに１つまたは複数のアクションを実行することと、第１のＲＡＴリンクおよび第２のＲＡＴリンクの一方または両方における１つまたは複数のイベントに応答してパケットステータス情報を交換することとを行うように構成され得る。いくつかの実装形態では、第１のＲＡＴリンクはＷＷＡＮリンク（たとえば、ＬＴＥリンクまたはＵＭＴＳリンク）を含み、第２のＲＡＴリンクはＷＬＡＮリンク（たとえば、Ｗｉ−Ｆｉリンク）を含み、パケットコンバージェンスエンティティはＰＤＣＰエンティティ（たとえば、ＬＴＥ  ＰＤＣＰ６１６）を含む。
【００８７】
[00102]パケットコンバージェンス受信機構成要素９４２は、第１のＲＡＴリンクおよび第２のＲＡＴリンクと通信することと、データパケットの各々が第１のＲＡＴリンクおよび第２のＲＡＴリンクから受信されたかどうかを決定することと、第１のＲＡＴリンクおよび第２のＲＡＴリンク上で受信されたデータパケットの各々のシーケンス番号値をモニタすることと、第１のＲＡＴリンクおよび第２のＲＡＴリンク上で受信されたデータパケットのシーケンス番号値が順序外れであるかどうかを決定することと、受信されたデータパケットのシーケンス番号値が順序外れであるとの決定に少なくとも部分的に基づいて１つまたは複数のアクションを実行することと、第１のＲＡＴリンクおよび第２のＲＡＴリンクの一方または両方における１つまたは複数のイベントに応答してパケットステータス情報を交換することとを行うように構成され得る。
【００８８】
[00103]パケットコンバージェンス受信機構成要素９４２によって実行される１つまたは複数のアクションは、パケット再順序付けタイマーが現在作動中でないとき、および現在の受信された（たとえば、最後に受信された）パケットのシーケンス番号値が予期されるシーケンス番号値以下であるときに、上位層エンティティにデータパケットのうちの現在の１つを送ることを含み得、予期されるシーケンス番号値が上位層エンティティに配信されるデータパケットの最大のＳＮ値より１大きい。
【００８９】
[00104]パケットコンバージェンス受信機構成要素９４２によって実行される１つまたは複数のアクションは、予期されるシーケンス番号値より大きいシーケンス番号値を有するデータパケットがパケットコンバージェンス受信機構成要素９４２によって受信されたときに、パケット再順序付けタイマー（たとえば、図１１のパケット再順序付けタイマー１１５７参照）が作動中でない場合、このタイマーを起動することを含み得、ここで、予期されるシーケンス番号値は、上位層エンティティに配信されるデータパケットの最大のシーケンス番号値より１大きい。パケットコンバージェンス受信機構成要素９４２によって実行される１つまたは複数のアクションは、所定の時間に到達したときに、パケット再順序付けタイマーを停止することを含み得る。
【００９０】
[00105]パケットコンバージェンス受信機構成要素９４２によって実行される１つまたは複数のアクションは、第１と第２のＲＡＴリンクの両方がシーケンス番号値の昇順でデータパケットを配信するように構成されているとき、および各リンク上で受信されたシーケンス番号の最小値が、受信されたときにパケット再順序付けタイマーを起動したデータパケットのシーケンス番号値以上であるときに、パケット再順序付けタイマーを停止することを含み得る。
【００９１】
[00106]パケットコンバージェンス受信機構成要素９４２によって実行される１つまたは複数のアクションは、パケットコンバージェンス受信機構成要素９４２によって受信されたデータパケットの少なくとも一部を上位層エンティティに送ることを含み得、データパケットの少なくとも一部は、受信されたときに現在は停止されているパケット再順序付けタイマーを起動したデータパケットのシーケンス番号値より小さいシーケンス番号値を有するそれらのデータパケットを含む。
【００９２】
[00107]パケットコンバージェンス受信機構成要素９４２によって実行される１つまたは複数のアクションは、パケットコンバージェンス受信機構成要素９４２によって受信されたデータパケットの少なくとも一部を上位層エンティティに送ることを含み得、データパケットの少なくとも一部は、上限以下の、および受信されたときに現在は停止されているパケット再順序付けタイマーを起動したデータパケットのシーケンス番号値以上の、シーケンス番号値を有するそれらのデータパケットを備える。上限は、受信されたときに現在は停止されているパケット再順序付けタイマーを起動したデータパケットの後でシーケンス番号値順に受信されたデータパケットの最大のシーケンス番号値であり得る。上限は、受信されたときに現在は停止されているパケット再順序付けタイマーを起動したデータパケットの後で受信されたデータパケットの最大のシーケンス番号値であり得る。上限は、受信されたときに現在は停止されているパケット再順序付けタイマーを起動したデータパケットの後で第１のＲＡＴリンク上で受信されたデータパケットの最大シーケンス番号値および第２のＲＡＴリンク上で受信されたデータパケットの最大のＳＮ値のうちの最小値であり得る。
【００９３】
[00108]パケットコンバージェンス受信機構成要素９４２によって実行される１つまたは複数のアクションは、欠落しているものと決定されたデータパケットが、パケットコンバージェンス受信機構成要素９４２から上位層エンティティに配信されたデータパケットの最大のシーケンス番号値より大きいシーケンス番号値を有するときに、パケット再順序付けタイマーを再起動することを含み得る。
【００９４】
[00109]パケットコンバージェンス受信機構成要素９４２によって実行される１つまたは複数のアクションは、パケット再順序付けタイマーを起動させたデータパケットが欠落しているものと決定されたときに、パケット再順序付けタイマーの満了に対する所定の時間の前にパケット再順序付けタイマーを停止することを含み得る。
【００９５】
[00110]パケットコンバージェンス受信機構成要素９４２によって実行される１つまたは複数のアクションは、第１と第２の両方のＲＡＴリンクが、シーケンス番号値の昇順でパケットコンバージェンス受信機構成要素９４２にデータパケットを配信するように構成されているときに、どちらのデータパケットが欠落しているかを決定することを含み得る。
【００９６】
[00111]パケットコンバージェンス受信機構成要素９４２によって実行される１つまたは複数のアクションは、パケットコンバージェンス受信機構成要素９４２によって受信されたデータパケットの少なくとも一部を上位層エンティティに送ることを含み得、データパケットの少なくとも一部は、欠落しているものと決定されたデータパケットのシーケンス番号値より小さいシーケンス番号値を有するデータパケットを含み、欠落しているものと決定されたそれらのデータパケットの再送信は要求されない。
【００９７】
[00112]パケットコンバージェンス受信機構成要素９４２によって実行される１つまたは複数のアクションは、パケット再送信タイマーの所定の時間が到達した後で１つまたは複数のデータパケットを欠落したものと識別することと、欠落しているかまたは受信されていない１つまたは複数のデータパケットの再送信を要求することとを含み得る。
【００９８】
[00113]パケットコンバージェンス受信機構成要素９４２によって実行される１つまたは複数のアクションは、どのデータパケットがパケットコンバージェンス受信機構成要素９４２によって受信されたか、およびどのデータパケットが欠落しているかを示すステータス報告を送ることを含み得、ステータス報告は、欠落しているデータパケットが第１および第２のＲＡＴリンクのうちの１つの上で検出されたときに送られ得る。
【００９９】
[00114]パケットコンバージェンス受信機構成要素９４２は、データパケットが第１および第２のＲＡＴリンクのどちらからパケットコンバージェンス受信機構成要素９４２によって受信されたかをパケットコンバージェンス受信機構成要素９４２が識別することを可能にするために、第１および第２のＲＡＴリンクの各々からインジケーション（indication）を受信するように構成され得る。
【０１００】
[00115]パケットコンバージェンス受信機構成要素９４２によって実行される１つまたは複数のアクションは、第１と第２の両方のＲＡＴリンクがシーケンス番号値の昇順でパケットコンバージェンス受信機構成要素９４２にデータパケットを配信するように構成されているときに、パケットコンバージェンス受信機構成要素９４２から上位層エンティティに配信されるデータパケットの最大のシーケンス値より大きい、第１と第２の両方のＲＡＴリンク上で受信された最小のシーケンス番号値に基づいて、欠落しているデータパケットを決定することを含み得る。
【０１０１】
[00116]パケットコンバージェンス受信機構成要素９４２は、正しい順序のシーケンス番号値の別個の第１のシーケンスに基づいて第１のＲＡＴリンクを介してデータパケットを受信することと、正しい順序のシーケンス番号値の別個の第２のシーケンスに基づいて第２のＲＡＴリンクを介してデータパケットを受信することとをハンドリングするように構成され得、シーケンス番号値の第１および第２のシーケンスは、第１および第２のＲＡＴリンクのどちらから、およびどの順序で、各データパケットがパケットコンバージェンス受信機構成要素９４２によって受信されたかを識別するために使用される。
【０１０２】
[00117]パケットコンバージェンス受信機構成要素９４２は、データパケットが第１のＲＡＴリンク上で欠落していることが決定されるときに、第２のＲＡＴリンクを介して再送信要求を送るように構成され得る。
【０１０３】
[00118]パケットコンバージェンス受信機構成要素９４２は、データパケットが第２のＲＡＴリンク上で欠落していることが決定されるときに、第１および第２のＲＡＴリンクのいずれかを介して再送信要求を送るように構成され得る。
【０１０４】
[00119]パケットコンバージェンス受信機構成要素９４２は、欠落しているものと決定される１つまたは複数のデータパケットの再送信を要求するために、パケットコンバージェンスエンティティステータス報告を送るように構成され得る。
【０１０５】
[00120]パケットコンバージェンス受信機構成要素９４２は、パケットコンバージェンスエンティティステータス報告を周期的に送るように構成され得る。
【０１０６】
[00121]パケットコンバージェンス受信機構成要素９４２は、データパケットの送信機からステータス要求を受信することと、ステータス要求に応答して、受信されたデータパケットに関する、および欠落しているものと決定されたデータパケットに関するパケットコンバージェンスエンティティステータス報告を送ることとを行うように構成され得る。
【０１０７】
[00122]パケットコンバージェンス受信機構成要素９４２は、単一のデータベアラに対応する第１および第２のＲＡＴリンクから受信されたデータパケットをハンドリングするように構成され得る。
【０１０８】
[00123]パケットコンバージェンス受信機構成要素９４２は、パケットコンバージェンス受信機構成要素９４２によって受信されたデータパケットのソースのそれぞれのＲＡＴリンクに対応する１つまたは複数のイベントに応答して、パケットコンバージェンス受信機構成要素９４２とそのソースとの間でステータスを交換するように構成され得る。ステータスの交換は、パケットコンバージェンス受信機構成要素９４２またはデータパケットのソースによって始動され得る。
【０１０９】
[00124]パケットコンバージェンス受信機構成要素９４２は、第１のＲＡＴリンクおよび第２のＲＡＴリンクの一方または両方における１つまたは複数のイベントに応答するように構成され得、１つまたは複数のイベントは、それぞれのＲＡＴリンク上の無線リンク障害を含む。
【０１１０】
[00125]パケットコンバージェンス受信機構成要素９４２は、第１のＲＡＴリンクおよび第２のＲＡＴリンクの一方または両方における１つまたは複数のイベントに応答するように構成され得、１つまたは複数のイベントは、第１のＲＡＴリンクまたは第２のＲＡＴリンクからのパケットコンバージェンス受信機構成要素９４２のユーザの非アクティブ化または切断（disassociation）を含む。
【０１１１】
[00126]パケットコンバージェンス受信機構成要素９４２は、第１のＲＡＴリンクおよび第２のＲＡＴリンクの一方または両方における１つまたは複数のイベントに応答するように構成され得、１つまたは複数のイベントは、それぞれのＲＡＴリンク上の無線リンク品質がしきい値の上または下に到達することを含む。
【０１１２】
[00127]パケットコンバージェンス受信機構成要素９４２は、第１のＲＡＴリンクおよび第２のＲＡＴリンクの一方または両方における１つまたは複数のイベントに応答するように構成され得、１つまたは複数のイベントは、それぞれのＲＡＴリンク上のいくつかの不成功のパケット送信がしきい値に到達することを含む。
【０１１３】
[00128]パケットコンバージェンス送信機構成要素９４４は、第１のＲＡＴリンクおよび第２のＲＡＴリンクを介してワイヤレス通信デバイス（たとえば、ＵＥ、ｅノードＢ）にデータパケットを送信するように構成され得、データパケットの各々は、ワイヤレス通信デバイス内のパケットコンバージェンスエンティティにおけるデータパケットアグリゲーションに関して割り当てられたシーケンス番号値を有する。ワイヤレス通信デバイス内のパケットコンバージェンスエンティティは、図９のパケットコンバージェンスエンティティ構成要素９４０に実質的に同様である（たとえば、実質的に同じ機能性を有する）ことができる。パケットコンバージェンス送信機構成要素９４４は、第１および第２のＲＡＴリンク上でフロー制御を実行するように構成され得、フロー制御は、第１および第２のＲＡＴリンクの各々に対してバッファのアンダーフローおよびオーバーフローの一方または両方を防止するように構成される。いくつかの実装形態では、第１のＲＡＴリンクはＷＷＡＮリンク（たとえば、ＬＴＥリンクまたはＵＭＴＳリンク）を含み、第２のＲＡＴリンクはＷＬＡＮリンク（たとえば、Ｗｉ−Ｆｉリンク）を含み、パケットコンバージェンスエンティティはＰＤＰＣエンティティ（たとえば、ＬＴＥ  ＰＤＣＰ６１６）を含む。
【０１１４】
[00129]いくつかの実装形態では、パケットコンバージェンス送信機構成要素９４４は、第１および第２のＲＡＴリンクの各々に関するバッファステータスおよび性能統計値の一方または両方を識別することによってフロー制御を実行するように構成され得る。パケットコンバージェンス送信機構成要素９４４は、シーケンス番号値の第１の正しい順序のシーケンスを第１のＲＡＴリンクを介して送信されたデータパケットに割り当てることと、シーケンス番号値の第２の正しい順序のシーケンスを第２のＲＡＴリンクを介して送信されたデータパケットに割り当てることとを行うように構成され得る。パケットコンバージェンス送信機構成要素９４４は、データパケットが第１および第２のＲＡＴリンクのいずれかから欠落し、順次配信（in-sequence delivery）を提供しているものとパケットコンバージェンスエンティティが決定したときに、ワイヤレス通信デバイス内のパケットコンバージェンスエンティティからステータス報告要求を受信することと、ステータス報告要求に応答してワイヤレス通信デバイスにステータス報告を送信することとを行うように構成され得る。パケットコンバージェンス送信機構成要素９４４は、第１および第２のＲＡＴリンクのいずれかにおける送信性能がしきい値より低いものとパケットコンバージェンスエンティティが決定したときに、ワイヤレス通信デバイス内のパケットコンバージェンスエンティティからステータス報告要求を受信し、ステータス報告要求に応答してワイヤレス通信デバイスにステータス報告を送信するように構成され得る。送信性能は、所定の時間間隔の間にそれぞれのリンクを介して送信されたデータパケットの数に少なくとも部分的に基づく場合がある。
【０１１５】
[00130]図１０は、本開示の一態様に従って構成されたｅノードＢ１００５−ａおよび構成要素の一例を概念的に示すブロック図である。図１０００のＵＥ１０１５、基地局／ｅノードＢ１００５−ａ（アンカーノード）、およびＡＰ１００５−ｂ（ブースタノード）は、それぞれ、様々な図において説明される基地局／ｅノードＢ、ＡＰ、およびＵＥのうちの１つであり得る。同様に、コアネットワーク１０３０および第１のバックホールリンク１０３２は、図１に示されるコアネットワークおよびバックホールリンクに対応し得る。ｅノードＢ１００５−ａおよびＵＥ１０１５は、通信リンク１０２５を介して通信し得る。ｅノードＢ１００５−ａおよびＡＰ１００５−ｂは、インターフェースＸ３を介して通信し得る。通信リンク１０２５は、図１の通信リンク１２５の一例であり得、インターフェースＸ３は、図４Ｃに示されるインターフェースに実質的に同様であり得る。
【０１１６】
[00131]ｅノードＢ１００５−ａは、パケットコンバージェンス受信機構成要素１０４２とパケットコンバージェンス送信機構成要素１０４４とを含み得る、パケットコンバージェンスエンティティ構成要素１０４０を含み得る。パケットコンバージェンス受信機構成要素１０４２は、図９のパケットコンバージェンス受信機構成要素９４２に関して上記で説明された機能の一部または全部を、ｅノードＢ１００５−ａの視点から実行し得る。同様に、パケットコンバージェンス送信機構成要素１０４４は、図９のパケットコンバージェンス送信機構成要素９４４に関して上記で説明された機能の一部または全部を、ｅノードＢ１００５−ａの視点から実行し得る。
【０１１７】
[00132]図１１は、本開示の一態様に従って構成されたパケットコンバージェンス受信機構成要素１１４２および下位構成要素の一例を概念的に示すブロック図である。パケットコンバージェンス受信機構成要素１１４２は、図９および図１０それぞれのパケットコンバージェンス受信機構成要素９４２および１０４２の一例であり得る。
【０１１８】
[00133]パケットコンバージェンス受信機構成要素１１４２は、リンク受信機構成要素１１５０と、リンク識別器構成要素１１５２と、シーケンス番号（ＳＮ）値モニタリング構成要素１１５４と、パケット再順序付けタイマー構成要素１１５６と、パケット再順序付けトリガ構成要素１１５８と、パケット再順序付けバッファ構成要素１１６０と、上位層エンティティ配信構成要素１１６２と、ステータス要求／報告構成要素１１６４と、パケット再送信要求構成要素１１６６とのような様々な下位構成要素を含み得る。
【０１１９】
[00134]リンク受信機構成要素１１５０は、２つ以上の通信リンク（たとえば、ＲＡＴリンク）を介してデータパケットを受信および／または処理するために、本明細書で説明される様々な態様をハンドリングするように構成され得る。
【０１２０】
[00135]リンク識別器構成要素１１５２は、どのリンクを介して各データパケットが受信されたかを識別、決定、および／または処理するために、本明細書で説明される様々な態様をハンドリングするように構成され得る。
【０１２１】
[00136]ＳＮ値モニタリング構成要素１１５４は、シーケンス番号値に基づいてデータパケットが受信された順序をモニタ、追跡、および／または処理するために、本明細書で説明される様々な態様をハンドリングするように構成され得る。ＳＮ値モニタリング構成要素１１５４は、異なるリンクに対して異なるおよび／または別個のシーケンス番号のシーケンスをハンドリングするように構成され得る。
【０１２２】
[00137]パケット再順序付けタイマー構成要素１１５６は、パケット再順序付けタイマーを起動、停止、再設定、および／または処理するために、本明細書で説明される様々な態様をハンドリングするように構成され得る。パケット再順序付けタイマー構成要素１１５６は、パケット再順序付けタイマー１１５７を含み得る。
【０１２３】
[00138]パケット再順序付けトリガ構成要素１１５８は、パケット再順序付けタイマーに関連するイベントをトリガ、および／または処理するために、本明細書で説明される様々な態様をハンドリングするように構成され得る。イベントは、たとえば、図７および／または図８において上記で説明されたように、たとえば、ＲｅＯｒｄｅｒＭａｘ、ＲｅＯｒｄｅｒＴ、および／またはＲｅＯｒｄｅｒＳＮに関連するイベントを含み得る。
【０１２４】
[00139]パケット再順序付けバッファ構成要素１１６０は、上位層エンティティへの後続の配信のためにデータパケットを記憶、バッファリングおよび／または処理するために、本明細書で説明される様々な態様をハンドリングするように構成され得る。パケット再順序付けバッファ構成要素１１６０は、パケット再順序付けバッファ１１６１を含み得る。
【０１２５】
[00140]上位層エンティティ配信構成要素１１６２は、上位層エンティティに供給されるべきデータパケットを配信、伝送、および／または処理するために、本明細書で説明される様々な態様をハンドリングするように構成され得る。
【０１２６】
[00141]ステータス要求／報告構成要素１１６４は、ステータス要求を受信、交換、および／または処理すること、ならびに／あるいはステータス報告を送信、交換、および／または処理することを行うために、本明細書で説明される様々な態様をハンドリングするように構成され得る。
【０１２７】
[00142]パケット再送信要求構成要素１１６６は、欠落している（たとえば、失われたかまたは受信されなかった）ものと決定されたデータパケットの再送信を要求、および／または処理するために、本明細書で説明される様々な態様をハンドリングするように構成され得る。
【０１２８】
[00143]図１２は、本開示の一態様に従って構成されたパケットコンバージェンス送信機構成要素１２４４および下位構成要素の一例を概念的に示すブロック図である。パケットコンバージェンス送信機構成要素１２４４は、図９および図１０それぞれのパケットコンバージェンス送信機構成要素９４４および１０４４の一例であり得る。
【０１２９】
[00144]パケットコンバージェンス送信機構成要素１２４４は、リンク送信機構成要素１２５０と、シーケンス番号（ＳＮ）値割り当て構成要素１２５２と、フロー制御構成要素１２５４と、バッファステータスおよび性能統計値構成要素１２５６と、ステータス要求／報告構成要素１２５８とのような様々な下位構成要素を含み得る。
【０１３０】
[00145]リンク送信機構成要素１２５０は、２つ以上の通信リンクを介するデータパケットを送信および／または処理するために、本明細書で説明される様々な態様をハンドリングするように構成され得る。
【０１３１】
[00146]ＳＮ値割り当て構成要素１２５２は、データパケット（たとえば、ＰＤＵ）に関連するシーケンス番号値を割り当て、および／または処理するために、本明細書で説明される様々な態様をハンドリングするように構成され得る。ＳＮ値割り当て構成要素１２５２は、異なる通信リンク（たとえば、ＲＡＴリンク）を介して送信されたデータパケットに、シーケンス番号値の異なるおよび／または別個のシーケンスを割り当てるように構成され得る。
【０１３２】
[00147]フロー制御構成要素１２５４は、データパケットが送信されている通信リンクの各々におけるフローを管理、制御、および／または処理するために、本明細書で説明される様々な態様をハンドリングするように構成され得る。フロー制御構成要素１２５４は、異なる通信リンクに対するバッファのオーバーフローおよび／またはアンダーフローを防止するように構成され得る。
【０１３３】
[00148]バッファステータスおよび性能統計値構成要素１２５６は、現在の条件を識別するためおよび／または送信バッファのステータスを処理するため、ならびに／あるいはデータパケットの送信に関連する性能統計値を決定するために、本明細書で説明される様々な態様をハンドリングするように構成され得る。バッファステータスおよび性能統計値構成要素１２５６は、フロー制御を実行するために情報をフロー制御構成要素１２５４に与え得る。一態様では、バッファステータスおよび性能統計値構成要素１２５６は、１つまたは複数の送信バッファ１２５７を含み得る。
【０１３４】
[00149]ステータス要求／報告構成要素１２５８は、ステータス要求を受信、および／または処理すること、ならびに／あるいはステータス報告を送信、および／または処理することを行うために、本明細書で説明される様々な態様をハンドリングするように構成され得る。
【０１３５】
[00150]図９のＵＥ９１５、図１０のｅノードＢ１００５−ａ、図１１のパケットコンバージェンス受信機構成要素１１４２、および／または図１２のパケットコンバージェンス送信機構成要素１２４４に関して上記で説明された構成要素および／または下位構成要素は、ソフトウェア、ハードウェア、またはソフトウェアとハードウェアの組合せにおいて実装され得る。その上、構成要素および／または下位構成要素のうちの２つ以上の機能の少なくとも一部が、単一の構成要素または単一の下位構成要素に組み合わされてよく、ならびに／あるいは１つの構成要素または下位構成要素の機能の少なくとも一部が、複数の構成要素および／または下位構成要素の間に分配されてもよい。単一のデバイス（たとえば、ＵＥ９１５）の構成要素および／または下位構成要素は、同じデバイスの１つまたは複数の構成要素および／または下位構成要素と通信中であり得る。
【０１３６】
[00151]図１３は、本開示の一態様に従って構成された処理システム１３１４を利用する装置１３００に対する例示的なハードウェア実装形態を概念的に示すブロック図である。処理システム１３１４は、パケットコンバージェンスエンティティ構成要素１３４０を含む。一例では、装置１３００は、様々な図において説明されるｅノードＢのうちの１つと同一もしくは同様であってよく、またはそれとともに含まれてもよい。そのような例では、パケットコンバージェンスエンティティ構成要素１３４０は、たとえば、パケットコンバージェンスエンティティ構成要素１０４０に対応し得る。別の例では、装置１３００は、様々な図において説明されるＵＥのうちの１つと同一もしくは同様であってよく、またはそれとともに含まれてもよい。そのような例では、パケットコンバージェンスエンティティ構成要素１３４０は、たとえば、パケットコンバージェンスエンティティ構成要素９４０に対応し得る。この例では、処理システム１３１４は、バス１３０２によって概略的に表されるバスアーキテクチャを用いて実装され得る。バス１３０２は、処理システム１３１４の特定の適用例および全体的な設計制約に応じて、任意の数の相互接続バスおよびブリッジを含み得る。バス１３０２は、プロセッサ１３０４によって概略的に表される１つまたは複数のプロセッサ（たとえば、中央処理装置（ＣＰＵ）、マイクロコントローラ、特定用途向け集積回路（ＡＳＩＣ）、プログラマブルゲートアレイ（ＦＰＧＡ））、およびコンピュータ可読媒体１３０６によって概略的に表されるコンピュータ可読媒体を含む様々な回路を互いにリンクする。バス１３０２はまた、タイミングソース、周辺機器、電圧調整器、および電力管理回路など、様々な他の回路をリンクし得るが、これらの回路は当技術分野においてよく知られており、したがって、これ以上は説明されない。バスインターフェース１３０８は、バス１３０２と、信号を受信または送信するために１つまたは複数のアンテナ１３２０に接続されるトランシーバ１３１０との間にインターフェースを設ける。トランシーバ１３１０および１つまたは複数のアンテナ１３２０は、送信媒体を介して（たとえば、オーバージエアで）様々な他の装置と通信するための機構を提供する。装置の性質に応じて、ユーザインターフェース（ＵＩ）１３１２（たとえば、キーパッド、ディスプレイ、スピーカー、マイクロフォン、ジョイスティック）も与えられ得る。
【０１３７】
[00152]プロセッサ１３０４は、バス１３０２の管理、およびコンピュータ可読媒体９０６上に記憶されたソフトウェアの実行を含む全般的な処理を担う。ソフトウェアは、プロセッサ１３０４によって実行されると、処理システム１３１４に、任意の特定の装置のための本明細書で説明された様々な機能を実行させる。コンピュータ可読媒体１３０６はまた、ソフトウェアを実行するときにプロセッサ１３０４によって操作されるデータを記憶するために使用されてもよい。上記で説明されたパケットコンバージェンスエンティティ構成要素１３４０は、プロセッサ１３０４によって、またはコンピュータ可読媒体１３０６によって、またはプロセッサ１３０４とコンピュータ可読媒体１３０６の任意の組合せによって全体または一部を実装され得る。
【０１３８】
[00153]一態様では、コンピュータ可読媒体１３０６は、プロセッサ１３０４および／またはパケットコンバージェンスエンティティ構成要素１３４０によって実行可能なコードを含み得、ここで、そのコードは、パケットコンバージェンスエンティティによってデータパケットを第１のＲＡＴリンクおよび第２のＲＡＴリンクと通信することを処理システム１３１４に行わせるためのコードと、データパケットの各々が第１のＲＡＴリンクおよび第２のＲＡＴリンクから受信されたかどうかを処理システム１３１４に決定させるためのコードと、第１のＲＡＴリンクおよび第２のＲＡＴリンク上で受信されたデータパケットの各々のシーケンス番号値を処理システム１３１４にモニタさせるためのコードと、第１のＲＡＴリンクおよび第２のＲＡＴリンク上で受信されたデータパケットのシーケンス番号値が順序外れであるかどうかを処理システム１３１４に決定させるためのコードと、受信されたデータパケットのシーケンス番号値が順序外れであるとの決定に少なくとも部分的に基づいて１つまたは複数のアクションを処理システム１３１４に実行させるためのコードと、第１のＲＡＴリンクおよび第２のＲＡＴリンクの一方または両方における１つまたは複数のイベントに応答してパケットステータス情報を処理システム１３１４に交換させるためのコードとを含み得る。
【０１３９】
[00154]図１４は、本開示の一態様による、受信機内のパケットコンバージェンスエンティティ（たとえば、パケットコンバージェンスエンティティ構成要素９４０、１０４０、１３４０）におけるＷＷＡＮおよびＷＬＡＮのデータのアグリゲーションのための方法１４００を示すフローチャートである。方法１４００の一部または全部は、図１、図２、図３、図４Ａ、図４Ｂ、図４Ｃ、図５、図６、図９、図１０、図１１、および／または図１３のＵＥ、ｅノードＢ、基地局、構成要素、および／またはデバイスによって実装され得る。
【０１４０】
[00155]ブロック１４１０において、パケットコンバージェンスエンティティ（たとえば、ＰＤＰＣエンティティ）は、第１のＲＡＴリンク（たとえば、ＷＷＡＮリンク）および第２のＲＡＴリンク（たとえば、ＷＬＡＮリンクまたはＷｉ−Ｆｉリンク）とデータパケット（たとえば、ＰＤＵ）を通信する。たとえば、リンク受信機構成要素１１５０（図１１）は、複数のＲＡＴリンクとデータパケットを通信し得る。
【０１４１】
[00156]ブロック１４１２において、パケットコンバージェンスエンティティは、各データパケットが第１のＲＡＴリンクおよび第２のＲＡＴリンクから受信されたかどうかを決定する。たとえば、リンク識別器構成要素１１５２（図１１）は、データパケットのソースであるリンクを識別し得る。
【０１４２】
[00157]ブロック１４１４において、パケットコンバージェンスエンティティは、第１のＲＡＴリンクおよび第２のＲＡＴリンクから受信されたデータパケットの各々のシーケンス番号値をモニタする。たとえば、ＳＮ値モニタリング構成要素１１５４（図１１）は、データパケットのシーケンス番号値をモニタし得る。
【０１４３】
[00158]ブロック１４１６において、パケットコンバージェンスエンティティは、第１のＲＡＴリンクおよび第２のＲＡＴリンク上で受信されたデータパケットのシーケンス番号値が順序外れであるかどうかを決定する。たとえば、ＳＮ値モニタリング構成要素１１５４（図１１）は、データパケットが正しい順序であるかまたは順序外れであるかを決定し得る。
【０１４４】
[00159]ブロック１４１８において、パケットコンバージェンスエンティティは、受信されたデータパケットのシーケンス番号値が順序外れであるとの決定に少なくとも部分的に基づいて１つまたは複数のアクションを実行する。たとえば、上位層エンティティ配信構成要素１１６２（図１１）は、データパケットが受信された順序に基づいてアクションのうちの１つまたは複数を実行し得る。別の態様では、パケットコンバージェンス受信機構成要素１１４２（図１１）の１つまたは複数の他の構成要素もまた、１つまたは複数のアクションを実行するために使用され得る。たとえば、パケット再順序付けタイマー構成要素１１５６、パケット再順序付けトリガ構成要素１１５８、および／またはパケット再順序付けバッファ構成要素１１６０は、１つまたは複数のアクションを実行するために使用され得る。
【０１４５】
[00160]ブロック１４２０において、パケットコンバージェンスエンティティは、第１のＲＡＴリンクおよび第２のＲＡＴリンクの一方または両方における１つまたは複数のイベントに応答してパケットステータス情報を（たとえば、ＵＥまたはｅノードＢと）交換する。たとえば、ステータス要求／報告構成要素１１６４（図１１）は、いくつかのイベントが第１および／または第２のＲＡＴリンク内で発生したときにリモートデバイスとパケットステータス情報を交換し得る。
【０１４６】
[00161]随意的にブロック１４２２において、パケットコンバージェンスエンティティは、実行された１つまたは複数のアクションに基づいて、上位層エンティティにデータパケットの少なくとも一部を送る。
【０１４７】
[00162]随意的にブロック１４２４において、パケットコンバージェンスエンティティは、欠落している（たとえば、受信されていない）ものと識別された１つまたは複数のデータパケットの再送信を要求する。
【０１４８】
[00163]随意的にブロック１４２６において、パケットコンバージェンスエンティティは、ステータス要求に応答してパケットコンバージェンスエンティティステータス報告を送る。
【０１４９】
[00164]方法１４００に関連して上記で説明された様々な随意の態様は、たとえば、パケットコンバージェンス受信機構成要素１１４２（図１１）内の構成要素のうちの１つまたは複数によって実行され得る。
【０１５０】
[00165]図１５は、本開示の一態様による、送信機内のＰＤＣＰ層におけるＷＷＡＮおよびＷＬＡＮのデータのアグリゲーションのための方法１５００を示すフローチャートである。方法１５００の一部または全部は、図１、図２、図３、図４Ａ、図４Ｂ、図４Ｃ、図５、図６、図９、図１０、図１２、および／または図１３のＵＥ、ｅノードＢ、基地局、構成要素、および／またはデバイスによって実装され得る。
【０１５１】
[00166]ブロック１５１０において、パケットは、第１のＲＡＴリンク（たとえば、ＷＷＡＮリンク）および第２のＲＡＴリンク（たとえば、ＷＬＡＮリンクまたはＷｉ−Ｆｉリンク）を介してワイヤレス通信デバイス（たとえば、ＵＥ１１５）に送信され、ここで、パケットの各々は、ワイヤレス通信デバイス内のパケットコンバージェンスエンティティ（たとえば、ＰＤＣＰエンティティ）においてパケットアグリゲーションに関して割り当てられたシーケンス番号値を有する。たとえば、リンク送信構成要素１２５０（図１２）は、パケットアグリゲーションに関して割り当てられたシーケンス番号値を有するパケットを送信し得る。
【０１５２】
[00167]ブロック１５１２において、フロー制御は、第１および第２のＲＡＴリンク上で（たとえば、パケットコンバージェンス送信機構成要素９４４、１０４４、１２４４によって）実行され、ここで、フロー制御は、第１および第２のＲＡＴリンクの各々に対してバッファのアンダーフローおよびオーバーフローの一方または両方を防止するように構成される。たとえば、フロー制御構成要素１２５４（図１２）は、アンダーフローおよび／またはオーバーフローを防止するために使用され得る。
【０１５３】
[00168]随意にブロック１５１４において、ステータス報告要求は、データパケットが第１および第２のＲＡＴリンクのうちの一方において欠落しており（たとえば、失われているかまたは受信されていない）、そのことが、それぞれのＲＡＴリンクに無線リンク障害を持たせるか、送信性能をしきい値より低くさせるか、または切断を発生させる可能性があるときに送られる。たとえば、ステータス要求／報告構成要素１２５８は、欠落しているデータパケットに関連するステータス要求を送るために使用され得る。
【０１５４】
[00169]本開示全体にわたって提示される様々な概念は、多種多様な電気通信システム、ネットワークアーキテクチャ、および通信規格にわたって実装され得る。
【０１５５】
[00170]図７、図８、図１４、および図１５に関して上記で説明された特徴は、限定ではなく例として提供されている。たとえば、方法７００、８００、１４００、および／または１５００の各々において説明された態様のうちの１つまたは複数は、それらの方法における変形形態を提供するために組み合わされてもよい。その上、随意として言及された方法７００、８００、１４００、および／または１５００のそれらの態様は、単独に実装されてよく、すなわち、異なる随意の態様が、互いに単独に実装され得る。
【０１５６】
[00171]当業者であれば、情報および信号は、様々な異なる技術および技法のいずれかを使用して表され得ることを理解されよう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【０１５７】
[00172]本明細書の開示に関連して説明した様々な例示的な論理ブロック、モジュール、回路、およびアルゴリズムステップは、電子ハードウェア、コンピュータソフトウェア、または両方の組合せとして実装され得ることを当業者ならさらに諒解されよう。ハードウェアとソフトウェアのこの互換性を明確に示すために、様々な例示的な構成要素、ブロック、モジュール、回路、およびステップが、概してそれらの機能に関して上記で説明されている。そのような機能性がハードウェアとして実装されるか、またはソフトウェアとして実装されるかは、システム全体に課される特定のアプリケーションおよび設計制約に依存する。当業者は、説明した機能性を特定の適用例ごとに様々な方法で実装し得るが、そのような実装の決定は、本開示の範囲からの逸脱を生じるものと解釈すべきではない。
【０１５８】
[00173]本明細書の開示に関して説明した様々な例示的な論理ブロック、モジュールおよび回路は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【０１５９】
[00174]本明細書の開示に関して説明した方法またはアルゴリズムのステップは、直接ハードウェアで具現化されるか、プロセッサによって実行されるソフトウェアモジュールで具現化されるか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体の中に存在し得る。例示的な記憶媒体は、プロセッサが記憶媒体から情報を読み取り、記憶媒体に情報を書き込むことができるようにプロセッサに結合される。代替案では、記憶媒体は、プロセッサに一体とされ得る。プロセッサおよび記憶媒体は、ＡＳＩＣ内に存在することができる。ＡＳＩＣはユーザ端末中に存在し得る。代替として、プロセッサおよび記憶媒体は、ユーザ端末中の個別構成要素として存在し得る。
【０１６０】
[00175]１つまたは複数の例示的な設計では、説明された機能は、ハードウェア、ソフトウェア、ファームウェアまたはその任意の組合せにおいて実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、任意の接続が、コンピュータ可読媒体と適切に呼ばれる。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、一方ディスク（disc）は、データをレーザーで光学的に再生する。上の組合せも、コンピュータ可読媒体の範囲内に含まれるべきである。
【０１６１】
[00176]本開示についての以上の説明は、いかなる当業者でも本開示を作製または使用することができるように提供されたものである。本開示に対する様々な修正は当業者には容易に明らかとなり、本明細書で定義される一般原理は、本開示の精神または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
【図１】
2018110418.tif 000003
【図２】
2018110418.tif 000004
【図３】
2018110418.tif 000005
【図４Ａ】
2018110418.tif 000006
【図４Ｂ】
2018110418.tif 000007
【図４Ｃ】
2018110418.tif 000008
【図５】
2018110418.tif 000009
【図６】
2018110418.tif 000010
【図７】
2018110418.tif 000011
【図８】
2018110418.tif 000012
【図９】
2018110418.tif 000013
【図１０】
2018110418.tif 000014
【図１１】
2018110418.tif 000015
【図１２】
2018110418.tif 000016
【図１３】
2018110418.tif 000017
【図１４】
2018110418.tif 000018
【図１５】
2018110418.tif 000019
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
ワイヤレス通信においてデータをアグリゲートするための方法であって、
パケットコンバージェンスエンティティによって、ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクとデータパケットを通信することと、
前記パケットコンバージェンスエンティティにおいて、前記データパケットの各々が前記パケットコンバージェンスエンティティによって受信されるのが前記第１のＲＡＴリンクおよび前記第２のＲＡＴリンクのどちらであるかを、前記パケットコンバージェンスエンティティが識別するのを可能にするために、前記第１のＲＡＴリンクおよび前記第２のＲＡＴリンクの各々からインジケーションを受信することと、
前記パケットコンバージェンスエンティティにおいて、前記第１のＲＡＴリンクおよび前記第２のＲＡＴリンクからのインジケーションに基づいて、どのデータパケットが前記第１のＲＡＴリンクおよび前記第２のＲＡＴリンクから受信されたかを決定することと、
前記パケットコンバージェンスエンティティにおいて、前記第１のＲＡＴリンクおよび前記第２のＲＡＴリンク上で受信された前記データパケットの各々のシーケンス番号値をモニタすることと、
前記パケットコンバージェンスエンティティにおいて、前記第１のＲＡＴリンクおよび前記第２のＲＡＴリンクの前記モニタされたシーケンス番号値に基づいて、１つまたは複数のデータパケットが欠落しているかどうかを決定することと、
前記パケットコンバージェンスエンティティによって、前記第１のＲＡＴリンクおよび前記第２のＲＡＴリンクの一方または両方における１つまたは複数のイベントに応答してステータス報告を送ることと
を備える、方法。
【請求項２】
前記ステータス報告は、どのデータパケットが受信され、どのデータパケットが欠落しているかを表示する、請求項１に記載の方法。
【請求項３】
前記パケットコンバージェンスエンティティが、パケットデータコンバージェンスプロトコル（ＰＤＣＰ）エンティティを備える、請求項１に記載の方法。
【請求項４】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、請求項２に記載の方法。
【請求項５】
前記１つまたは複数のイベントは、データパケットが欠落していると決定することである、請求項１に記載の方法。
【請求項６】
前記１つまたは複数のデータパケットが欠落しているかどうかを決定することは、前記第１のＲＡＴリンクおよび前記第２のＲＡＴリンクがシーケンス番号値の昇順でデータパケットを送信するように構成されているとき、受信したデータパケットの最大シーケンス値より大きい、前記第１のＲＡＴリンクおよび前記第２のＲＡＴリンクの両方で受信した最小シーケンス番号値に基づく、請求項１に記載の方法。
【請求項７】
前記第１のＲＡＴリンク上で受信した前記データパケットは、正しい順序のシーケンス番号値の別個の第１のシーケンス番号値を備える前記インジケーションに基づいており、前記第２のＲＡＴリンク上で受信した前記データパケットは、正しい順序のシーケンス番号値の別個の第２のシーケンス番号値を備える前記インジケーションに基づいており、前記第１のシーケンス番号値と前記第２のシーケンス番号値は、前記第１のＲＡＴリンクおよび前記第２のＲＡＴリンクのどちらからデータパケットが受信されたかを識別するために使用される、請求項１に記載の方法。
【請求項８】
前記パケットコンバージェンスエンティティによって、データパケットが前記第１のＲＡＴリンクから欠落しているという決定に応答して、前記第２のＲＡＴリンクを通して再送信要求送ることをさらに備える、請求項１に記載の方法。
【請求項９】
前記パケットコンバージェンスエンティティによって、データパケットが前記第２のＲＡＴリンクから欠落しているという決定に応答して、前記第１のＲＡＴリンクまたは前記第２のＲＡＴリンクのうちの１つを通して再送信要求送ることをさらに備える、請求項１に記載の方法。
【請求項１０】
前記ステータス報告は周期的に送られる、請求項１に記載の方法。
【請求項１１】
前記１つまたは複数のイベントは、送信機からステータス報告を受信することである、請求項１に記載の方法。
【請求項１２】
ワイヤレス通信においてデータをアグリゲートするための装置であって、
方法は、
パケットコンバージェンスエンティティによって、ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクとデータパケットを通信するための手段と、
前記パケットコンバージェンスエンティティにおいて、前記データパケットの各々が前記パケットコンバージェンスエンティティによって受信されるのが前記第１のＲＡＴリンクおよび前記第２のＲＡＴリンクのどちらであるかを、前記パケットコンバージェンスエンティティが識別するのを可能にするために、前記第１のＲＡＴリンクおよび前記第２のＲＡＴリンクの各々からインジケーションを受信するための手段と、
前記パケットコンバージェンスエンティティにおいて、前記第１のＲＡＴリンクおよび前記第２のＲＡＴリンクからのインジケーションに基づいて、どのデータパケットが前記第１のＲＡＴリンクおよび前記第２のＲＡＴリンクから受信されたかを決定するための手段と、
前記パケットコンバージェンスエンティティにおいて、前記第１のＲＡＴリンクおよび前記第２のＲＡＴリンク上で受信された前記データパケットの各々のシーケンス番号値をモニタするための手段と、
前記パケットコンバージェンスエンティティにおいて、前記第１のＲＡＴリンクおよび前記第２のＲＡＴリンクの前記モニタされたシーケンス番号値に基づいて、１つまたは複数のデータパケットが欠落しているかどうかを決定するための手段と、
前記パケットコンバージェンスエンティティによって、前記第１のＲＡＴリンクおよび前記第２のＲＡＴリンクの一方または両方における１つまたは複数のイベントに応答してステータス報告を送るための手段と
を備える、装置。
【請求項１３】
ワイヤレス通信においてデータをアグリゲートするためのネットワークデバイスであって、
プロセッサと、
前記プロセッサに結合されているメモリとを備え、
前記メモリは、前記プロセッサによって、
パケットコンバージェンスエンティティによって、ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクとデータパケットを通信し、
前記パケットコンバージェンスエンティティにおいて、前記データパケットの各々が前記パケットコンバージェンスエンティティによって受信されるのが前記第１のＲＡＴリンクおよび前記第２のＲＡＴリンクのどちらであるかを、前記パケットコンバージェンスエンティティが識別するのを可能にするために、前記第１のＲＡＴリンクおよび前記第２のＲＡＴリンクの各々からインジケーションを受信し、
前記パケットコンバージェンスエンティティにおいて、前記第１のＲＡＴリンクおよび前記第２のＲＡＴリンクからのインジケーションに基づいて、どのデータパケットが前記第１のＲＡＴリンクおよび前記第２のＲＡＴリンクから受信されたかを決定し、
前記パケットコンバージェンスエンティティにおいて、前記第１のＲＡＴリンクおよび前記第２のＲＡＴリンク上で受信された前記データパケットの各々のシーケンス番号値をモニタし、
前記パケットコンバージェンスエンティティにおいて、前記第１のＲＡＴリンクおよび前記第２のＲＡＴリンクの前記モニタされたシーケンス番号値に基づいて、１つまたは複数のデータパケットが欠落しているかどうかを決定し、
前記パケットコンバージェンスエンティティによって、第１のＲＡＴリンクおよび前記第２のＲＡＴリンクの一方または両方における１つまたは複数のイベントに応答してステータス報告を送るように実行可能な命令を備える、ネットワークデバイス。
【請求項１４】
前記ステータス報告は、どのデータパケットが受信され、どのデータパケットが欠落しているかを表示する、請求項１３に記載のネットワークエンティティ。
【請求項１５】
前記パケットコンバージェンスエンティティが、パケットデータコンバージェンスプロトコル（ＰＤＣＰ）エンティティを備える、請求項１３に記載のネットワークエンティティ。
【請求項１６】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、請求項１４に記載のネットワークエンティティ。
【請求項１７】
前記１つまたは複数のイベントは、データパケットが欠落していると決定することである、請求項１３に記載のネットワークエンティティ。
【請求項１８】
前記１つまたは複数のデータパケットが欠落しているかどうかを決定することは、前記第１のＲＡＴリンクおよび前記第２のＲＡＴリンクがシーケンス番号値の昇順でデータパケットを送信するように構成されているとき、受信したデータパケットの最大シーケンス値より大きい、前記第１のＲＡＴリンクおよび前記第２のＲＡＴリンクの両方で受信した最小シーケンス番号値に基づく、請求項１３に記載のネットワークエンティティ。
【請求項１９】
前記第１のＲＡＴリンク上で受信した前記データパケットは、正しい順序のシーケンス番号値の別個の第１のシーケンス番号値を備える前記インジケーションに基づいており、前記第２のＲＡＴリンク上で受信した前記データパケットは、正しい順序のシーケンス番号値の別個の第２のシーケンス番号値を備える前記インジケーションに基づいており、前記第１のシーケンス番号値と前記第２のシーケンス番号値は、前記第１のＲＡＴリンクおよび前記第２のＲＡＴリンクのどちらからデータパケットが受信されたかを識別するために使用される、請求項１３に記載のネットワークエンティティ。
【請求項２０】
前記プロセッサにより実行可能な命令は、データパケットが前記第１のＲＡＴリンクから欠落しているという決定に応答して、前記第２のＲＡＴリンクを通して再送信要求をさらに送る、請求項１３に記載のネットワークエンティティ。
【請求項２１】
前記プロセッサにより実行可能な命令は、データパケットが前記第２のＲＡＴリンクから欠落しているという決定に応答して、前記第１のＲＡＴリンクまたは前記第２のＲＡＴリンクのうちの１つを通して再送信要求をさらに送る、請求項１３に記載のネットワークエンティティ。
【請求項２２】
前記ステータス報告は周期的に送られる、請求項１３に記載のネットワークエンティティ。
【請求項２３】
前記１つまたは複数のイベントは、送信機からステータス報告を受信することである、請求項１３に記載のネットワークエンティティ。
【請求項２４】
非一時的コンピュータ読取可能媒体を備えるコンピュータプログラムプロダクトであって、
パケットコンバージェンスエンティティにおいて、ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクとデータパケットを通信するためのコードと、
前記パケットコンバージェンスエンティティにおいて、前記データパケットの各々が前記パケットコンバージェンスエンティティによって受信されるのが前記第１のＲＡＴリンクおよび前記第２のＲＡＴリンクのどちらであるかを、前記パケットコンバージェンスエンティティが識別するのを可能にするために、前記第１のＲＡＴリンクおよび前記第２のＲＡＴリンクの各々からインジケーションを受信するためのコードと、
前記パケットコンバージェンスエンティティにおいて、前記第１のＲＡＴリンクおよび前記第２のＲＡＴリンクからのインジケーションに基づいて、どのデータパケットが前記第１のＲＡＴリンクおよび前記第２のＲＡＴリンクから受信されたかを決定するためのコードと、
前記パケットコンバージェンスエンティティにおいて、前記第１のＲＡＴリンクおよび前記第２のＲＡＴリンク上で受信された前記データパケットの各々のシーケンス番号値をモニタするためのコードと、
前記パケットコンバージェンスエンティティにおいて、前記第１のＲＡＴリンクおよび前記第２のＲＡＴリンクの前記モニタされたシーケンス番号値に基づいて、１つまたは複数のデータパケットが欠落しているかどうかを決定するためのコードと、
前記パケットコンバージェンスエンティティによって、第１のＲＡＴリンクおよび前記第２のＲＡＴリンクの一方または両方における１つまたは複数のイベントに応答してステータス報告を送るためのコードとを備える、コンピュータプログラムプロダクト。
【請求項２５】
前記ステータス報告は、どのデータパケットが受信され、どのデータパケットが欠落しているかを表示する、請求項２４に記載のコンピュータプログラムプロダクト。
【請求項２６】
前記パケットコンバージェンスエンティティが、パケットデータコンバージェンスプロトコル（ＰＤＣＰ）エンティティを備える、請求項２４に記載のコンピュータプログラムプロダクト。
【請求項２７】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、請求項２５に記載のコンピュータプログラムプロダクト。
【請求項２８】
前記１つまたは複数のイベントは、データパケットが欠落していると決定することである、請求項２４に記載のコンピュータプログラムプロダクト。
【請求項２９】
前記１つまたは複数のデータパケットが欠落しているかどうかを決定することは、前記第１のＲＡＴリンクおよび前記第２のＲＡＴリンクがシーケンス番号値の昇順でデータパケットを送信するように構成されているとき、受信したデータパケットの最大シーケンス値より大きい、前記第１のＲＡＴリンクおよび前記第２のＲＡＴリンクの両方で受信した最小シーケンス番号値に基づく、請求項２４に記載のコンピュータプログラムプロダクト。
【請求項３０】
前記第１のＲＡＴリンク上で受信した前記データパケットは、正しい順序のシーケンス番号値の別個の第１のシーケンス番号値を備える前記インジケーションに基づいており、前記第２のＲＡＴリンク上で受信した前記データパケットは、正しい順序のシーケンス番号値の別個の第２のシーケンス番号値を備える前記インジケーションに基づいており、前記第１のシーケンス番号値と前記第２のシーケンス番号値は、前記第１のＲＡＴリンクおよび前記第２のＲＡＴリンクのどちらからデータパケットが受信されたかを識別するために使用される、請求項２４に記載のコンピュータプログラムプロダクト。
【請求項３１】
前記パケットコンバージェンスエンティティによって、データパケットが前記第１のＲＡＴリンクから欠落しているという決定に応答して、前記第２のＲＡＴリンクを通して再送信要求を送るためのコードをさらに備える、請求項２４に記載のコンピュータプログラムプロダクト。
【請求項３２】
前記パケットコンバージェンスエンティティによって、データパケットが前記第２のＲＡＴリンクから欠落しているという決定に応答して、前記第１のＲＡＴリンクまたは前記第２のＲＡＴリンクのうちの１つを通して再送信要求を送るためのコードをさらに備える、請求項２４に記載のコンピュータプログラムプロダクト。
【請求項３３】
前記ステータス報告は周期的に送られる、請求項２４に記載のコンピュータプログラムプロダクト。
【請求項３４】
前記１つまたは複数のイベントは、送信機からステータス報告を受信することである、請求項２４に記載のコンピュータプログラムプロダクト。
【手続補正２】
【補正対象書類名】明細書
【補正対象項目名】０１６１
【補正方法】変更
【補正の内容】
【０１６１】
[00176]本開示についての以上の説明は、いかなる当業者でも本開示を作製または使用することができるように提供されたものである。本開示に対する様々な修正は当業者には容易に明らかとなり、本明細書で定義される一般原理は、本開示の精神または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に、本願出願の当初の特許請求の範囲に記載された発明を付記する。
［１］  ワイヤレス通信においてデータをアグリゲートするための方法であって、
パケットコンバージェンスエンティティによって第１の無線アクセス技術（ＲＡＴ）リンクおよび第２のＲＡＴリンクとデータパケットを通信することと、
前記データパケットの各々が前記第１のＲＡＴリンクおよび前記第２のＲＡＴリンクから受信されたかどうかを決定することと、
前記第１のＲＡＴリンクおよび前記第２のＲＡＴリンク上で受信された前記データパケットの各々のシーケンス番号値をモニタすることと、
前記第１のＲＡＴリンクおよび前記第２のＲＡＴリンク上で受信された前記データパケットの前記シーケンス番号値が順序外れであるかどうかを決定することと、
前記受信されたデータパケットの前記シーケンス番号値が順序外れであるとの決定に少なくとも部分的に基づいて１つまたは複数のアクションを実行することと、
前記第１のＲＡＴリンクおよび前記第２のＲＡＴリンクの一方または両方における１つまたは複数のイベントに応答してパケットステータス情報を交換することと
を備える、方法。
［２］  前記第１のＲＡＴリンクが、ワイヤレスワイドエリアネットワーク（ＷＷＡＮ）リンクを備え、
前記第２のＲＡＴリンクが、ワイヤレスローカルエリアネットワーク（ＷＬＡＮ）リンクを備え、
前記パケットコンバージェンスエンティティが、パケットデータコンバージェンスプロトコル（ＰＤＣＰ）エンティティを備える、［１］に記載の方法。
［３］  前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、［２］に記載の方法。
［４］  前記１つまたは複数のアクションは、パケット再順序付けタイマーが現在作動中でないとき、および現在の受信されたパケットの前記シーケンス番号（ＳＮ）値が予期されるＳＮ値以下であるときに、前記パケットコンバージェンスエンティティによって上位層エンティティに前記データパケットのうちの現在の１つを送ることを備え、ここにおいて、前記予期されるＳＮ値が、前記上位層エンティティに配信されるデータパケットの最大のＳＮ値より１大きい、［１］に記載の方法。
［５］  前記１つまたは複数のアクションは、予期されるＳＮ値より大きいＳＮ値を有するデータパケットが前記パケットコンバージェンスエンティティによって受信されたときに、パケット再順序付けタイマーが作動中でない場合、前記パケット再順序付けタイマーを起動することを備え、ここにおいて、前記予期されるＳＮ値が、上位層エンティティに配信されるデータパケットの最大のＳＮ値より１大きい、［１］に記載の方法。
［６］  前記１つまたは複数のアクションは、所定の時間に到達したときに、前記パケット再順序付けタイマーを停止することを備える、［５］に記載の方法。
［７］  前記１つまたは複数のアクションは、前記第１のＲＡＴリンクおよび前記第２のＲＡＴリンクの両方がＳＮ値の昇順でデータパケットを配信するように構成されているとき、および各リンク上で受信された前記ＳＮのうちの最小値が、受信されたときにパケット再順序付けタイマーを起動したデータパケットのＳＮ値以上であるときに、前記パケット再順序付けタイマーを停止することを備える、［１］に記載の方法。
［８］  前記１つまたは複数のアクションは、前記パケットコンバージェンスエンティティによって受信された前記データパケットの少なくとも一部を上位層エンティティに送ることを備え、前記データパケットの前記少なくとも一部が、受信されたときに現在は停止されているパケット再順序付けタイマーを起動したデータパケットのＳＮ値より小さいＳＮ値を有するデータパケットを備える、［１］に記載の方法。
［９］  前記１つまたは複数のアクションは、前記パケットコンバージェンスエンティティによって受信された前記データパケットの少なくとも一部を上位層エンティティに送ることを備え、前記データパケットの前記少なくとも一部が、上限以下の、および受信されたときに現在は停止されているパケット再順序付けタイマーを起動したデータパケットのＳＮ値以上の、ＳＮ値を有するデータパケットを備える、［１］に記載の方法。
［１０］  前記上限が、
受信されたときに現在は停止されている前記パケット再順序付けタイマーを起動した前記データパケットの後でＳＮ値順に受信された前記データパケットの最大のＳＮ値、
受信されたときに現在は停止されている前記パケット再順序付けタイマーを起動した前記データパケットの後で受信された前記データパケットの最大のＳＮ値、および
受信されたときに現在は停止されている前記パケット再順序付けタイマーを起動した前記データパケットの後で前記第１のＲＡＴリンク上で受信された前記データパケットの最大のＳＮ値および前記第２のＲＡＴリンク上で受信された前記データパケットの最大のＳＮ値のうちの最小値のうちの１つである、［９］に記載の方法。
［１１］  前記パケットコンバージェンスエンティティによって受信されたデータパケットが前記第１のＲＡＴリンクおよび前記第２のＲＡＴリンクのどちらからのものであるかを、前記パケットコンバージェンスエンティティが識別するのを可能にするために、前記第１のＲＡＴリンクおよび前記第２のＲＡＴリンクの各々からインジケーションを受信することをさらに備える、［１］に記載の方法。
［１２］  欠落しているものと決定された１つまたは複数のデータパケットの再送信を要求するために前記パケットコンバージェンスエンティティからパケットコンバージェンスエンティティステータス報告を送ることをさらに備える、［１］に記載の方法。
［１３］  前記パケットコンバージェンスエンティティからパケットコンバージェンスエンティティステータス報告を周期的に送ることをさらに備える、［１］に記載の方法。
［１４］  前記データパケットの送信機からステータス要求を受信することと、
前記ステータス要求に応答して、前記受信されたデータパケットに関する、および欠落しているものと決定されたデータパケットに関するパケットコンバージェンスエンティティステータス報告を送ることとをさらに備える、［１］に記載の方法。
［１５］  ワイヤレス通信においてデータをアグリゲートするための装置であって、
パケットコンバージェンスエンティティによって第１の無線アクセス技術（ＲＡＴ）リンクおよび第２のＲＡＴリンクとデータパケットを通信するための手段と、
前記データパケットの各々が前記第１のＲＡＴリンクおよび前記第２のＲＡＴリンクから受信されたかどうかを決定するための手段と、
前記第１のＲＡＴリンクおよび前記第２のＲＡＴリンク上で受信された前記データパケットの各々のシーケンス番号値をモニタするための手段と、
前記第１のＲＡＴリンクおよび前記第２のＲＡＴリンク上で受信された前記データパケットの前記シーケンス番号値が順序外れであるかどうかを決定するための手段と、
前記受信されたデータパケットの前記シーケンス番号値が順序外れであるとの決定に少なくとも部分的に基づいて１つまたは複数のアクションを実行するための手段と、
前記第１のＲＡＴリンクおよび前記第２のＲＡＴリンクの一方または両方における１つまたは複数のイベントに応答してパケットステータス情報を交換するための手段と
を備える、装置。
［１６］  ワイヤレス通信においてデータをアグリゲートするためのネットワークデバイスであって、
パケットコンバージェンスエンティティによって第１の無線アクセス技術（ＲＡＴ）リンクおよび第２のＲＡＴリンクとデータパケットを通信するように構成された受信機構成要素と、
前記データパケットの各々が前記第１のＲＡＴリンクおよび前記第２のＲＡＴリンクから受信されたかどうかを決定するように構成された識別器構成要素と、
前記第１のＲＡＴリンクおよび前記第２のＲＡＴリンク上で受信された前記データパケットの各々のシーケンス番号値をモニタするように構成されたモニタリング構成要素と、ここにおいて、前記モニタリング構成要素が、前記第１のＲＡＴリンクおよび前記第２のＲＡＴリンク上で受信された前記データパケットの前記シーケンス番号値が順序外れであるかどうかを決定するようにさらに構成される、
前記受信されたデータパケットの前記シーケンス番号値が順序外れであるとの決定に少なくとも部分的に基づいて１つまたは複数のアクションを実行するように構成された再順序付け構成要素と、
第１のＲＡＴリンクおよび前記第２のＲＡＴリンクの一方または両方における１つまたは複数のイベントに応答してパケットステータス情報を交換するように構成されたステータス構成要素と
を備える、ネットワークデバイス。
［１７］  前記第１のＲＡＴリンクが、ワイヤレスワイドエリアネットワーク（ＷＷＡＮ）リンクを備え、
前記第２のＲＡＴリンクが、ワイヤレスローカルエリアネットワーク（ＷＬＡＮ）リンクを備え、
前記パケットコンバージェンスエンティティが、パケットデータコンバージェンスプロトコル（ＰＤＣＰ）エンティティを備える、［１６］に記載のネットワークデバイス。
［１８］  前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、［１７］に記載のネットワークデバイス。
［１９］  パケット再順序付けタイマーをさらに備え、前記１つまたは複数のアクションは、前記パケット再順序付けタイマーが現在作動中でないとき、および現在の受信されたパケットの前記シーケンス番号（ＳＮ）値が予期されるＳＮ値以下であるときに、前記パケットコンバージェンスエンティティによって上位層エンティティに前記データパケットのうちの現在の１つを送ることを備え、ここにおいて、前記予期されるＳＮ値が、前記上位層エンティティに配信されるデータパケットの最大のＳＮ値より１大きい、［１６］に記載のネットワークデバイス。
［２０］  パケット再順序付けタイマーをさらに備え、前記１つまたは複数のアクションは、予期されるＳＮ値より大きいＳＮ値を有するデータパケットが前記パケットコンバージェンスエンティティによって受信されたときに、前記パケット再順序付けタイマーが作動中でない場合、前記パケット再順序付けタイマーを起動することを備え、ここにおいて、前記予期されるＳＮ値が、上位層エンティティに配信されるデータパケットの最大のＳＮ値より１大きい、［１６］に記載のネットワークデバイス。
［２１］  前記１つまたは複数のアクションは、所定の時間に到達したときに、前記パケット再順序付けタイマーを停止することを備える、［２０］に記載のネットワークデバイス。
［２２］  パケット再順序付けタイマーをさらに備え、前記１つまたは複数のアクションは、前記第１のＲＡＴリンクおよび前記第２のＲＡＴリンクの両方がＳＮ値の昇順でデータパケットを配信するように構成されているとき、および各リンク上で受信された前記ＳＮのうちの最小値が、受信されたときに前記パケット再順序付けタイマーを起動したデータパケットのＳＮ値以上であるときに、前記パケット再順序付けタイマーを停止することを備える、［１６］に記載のネットワークデバイス。
［２３］  パケット再順序付けタイマーをさらに備え、前記１つまたは複数のアクションは、前記パケットコンバージェンスエンティティによって受信された前記データパケットの少なくとも一部を上位層エンティティに送ることを備え、前記データパケットの前記少なくとも一部が、受信されたときに現在は停止されている前記パケット再順序付けタイマーを起動したデータパケットのＳＮ値より小さいＳＮ値を有するデータパケットを備える、［１６］に記載のネットワークデバイス。
［２４］  パケット再順序付けタイマーをさらに備え、前記１つまたは複数のアクションは、前記パケットコンバージェンスエンティティによって受信された前記データパケットの少なくとも一部を上位層エンティティに送ることを備え、前記データパケットの前記少なくとも一部が、上限以下の、および受信されたときに現在は停止されている前記パケット再順序付けタイマーを起動したデータパケットのＳＮ値以上の、ＳＮ値を有するデータパケットを備える、［１６］に記載のネットワークデバイス。
［２５］  前記上限が、
受信されたときに現在は停止されている前記パケット再順序付けタイマーを起動した前記データパケットの後でＳＮ値順に受信された前記データパケットの最大のＳＮ値、
受信されたときに現在は停止されている前記パケット再順序付けタイマーを起動した前記データパケットの後で受信された前記データパケットの最大のＳＮ値、および
受信されたときに現在は停止されている前記パケット再順序付けタイマーを起動した前記データパケットの後で前記第１のＲＡＴリンク上で受信された前記データパケットの最大のＳＮ値および前記第２のＲＡＴリンク上で受信された前記データパケットの最大のＳＮ値のうちの最小値のうちの１つである、［２４］に記載のネットワークデバイス。
［２６］  ワイヤレス通信においてデータをアグリゲートするための方法であって、
第１の無線アクセス技術（ＲＡＴ）リンクおよび第２のＲＡＴリンクを介してワイヤレス通信デバイスにデータパケットを送信することと、ここにおいて、前記データパケットの各々が、前記ワイヤレス通信デバイス内のパケットコンバージェンスエンティティにおけるパケットアグリゲーションに関して割り当てられたシーケンス番号（ＳＮ）値を有する、
前記第１および第２のＲＡＴリンク上で、前記第１および第２のＲＡＴリンクの各々に対してバッファのアンダーフローおよびオーバーフローの一方または両方を防止するように構成されたフロー制御を実行することと
を備える、方法。
［２７］  前記第１のＲＡＴリンクが、ワイヤレスワイドエリアネットワーク（ＷＷＡＮ）リンクを備え、
前記第２のＲＡＴリンクが、ワイヤレスローカルエリアネットワーク（ＷＬＡＮ）リンクを備え、
前記パケットコンバージェンスエンティティが、パケットデータコンバージェンスプロトコル（ＰＤＣＰ）エンティティを備える、［２６］に記載の方法。
［２８］  前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、［２７］に記載の方法。
［２９］  ＳＮ値の第１の正しい順序のシーケンスを前記第１のＲＡＴリンクを介して送信された前記データパケットに割り当てることと、ＳＮ値の第２の正しい順序のシーケンスを前記第２のＲＡＴリンクを介して送信された前記データパケットに割り当てることとをさらに備える、［２６］に記載の方法。
［３０］  データパケットが前記第１および第２のＲＡＴリンクのいずれかから欠落し、順次配信を提供しているものと前記パケットコンバージェンスエンティティが決定するとき、または前記第１および第２のＲＡＴリンクのいずれかにおける送信性能がしきい値より低いものと前記パケットコンバージェンスエンティティが決定するときに、前記パケットコンバージェンスエンティティからステータス報告要求を受信することと、
前記ステータス報告要求に応答して前記ワイヤレス通信デバイスにステータス報告を送信することと
をさらに備える、［２６］に記載の方法。
【外国語明細書】
2018110418000001.pdf